(57)【要約】【課題】通信技術の分野に関する、データ送信方法、デバイス、およびコンピュータ可読記憶媒体を提供する。【解決手段】方法は、基地局によってターゲット帯域幅部分で送信されたスケジューリング信号を受信するステップであって、スケジューリング信号は、周波数ドメインのリソース指示情報およびパラメータ指示情報を搬送し、ターゲット帯域幅部分は、複数の構成された帯域幅部分の中の、スケジューリング信号を送信できる帯域幅部分である、ステップと、周波数ドメインのリソース指示情報および予め格納された構成情報に基づいて、ターゲット帯域幅部分が予定帯域幅部分ではないと判断すると、周波数ドメインのリソース指示情報および構成情報に基づいて複数の帯域幅部分から予定帯域幅部分を決定するステップと、パラメータ指示情報に関連付けられた構成パラメータに従って、予定帯域幅部分を介してデータを送信するステップとを含む。本開示では、端末上に複数の帯域幅部分を構成し、複数の帯域幅部分間で帯域幅を跨がるスケジューリングを実行することにより、通信システムにおけるデータ送信の柔軟性が向上する。【選択図】図１Ｂ
2020529174.tif 000002
【特許請求の範囲】
【請求項１】
基地局によってターゲット帯域幅部分で送信されたスケジューリング信号を受信するステップであって、該スケジューリング信号は、周波数ドメインのリソース指示情報およびパラメータ指示情報を搬送し、該ターゲット帯域幅部分は、複数の構成された帯域幅部分の中で、該スケジューリング信号を送信できる帯域幅部分である、ステップと、
該周波数ドメインのリソース指示情報および予め格納された構成情報に基づいて、該ターゲット帯域幅部分が予定帯域幅部分ではないと判断すると、該周波数ドメインのリソース指示情報および該構成情報に基づいて、該複数の帯域幅部分から該予定帯域幅部分を決定するステップと、
該パラメータ指示情報に関連付けられた構成パラメータに従って、該予定帯域幅部分を介してデータを送信するステップと
を含む、データ送信方法。
【請求項２】
前記パラメータ指示情報は、前記構成パラメータまたは前記構成パラメータを示すスクランブル・シーケンスである、請求項１記載の方法。
【請求項３】
前記パラメータ指示情報に関連付けられた構成パラメータに従って、前記予定帯域幅部分を介してデータを送信する前記ステップは、
前記パラメータ指示情報が前記スクランブル・シーケンスである場合、スクランブル・シーケンスと該スクランブル・シーケンスに基づく構成パラメータとの間の予め格納された対応関係から、対応する構成パラメータを取得するステップと、
該取得した構成パラメータに従って、前記予定帯域幅部分を介してデータを送信するステップと
を含む、請求項２記載の方法。
【請求項４】
前記周波数ドメインのリソース指示情報は、周波数ドメイン送信ユニットの指示情報を含み、該周波数ドメイン送信ユニットは、１つまたは複数の物理リソース・ブロック（ＰＲＢ）を含む、請求項１から３のいずれか一項記載の方法。
【請求項５】
前記スケジューリング信号は、ダウンリンク制御情報（ＤＣＩ）を使って送信され、該ＤＣＩは、前記周波数ドメイン送信ユニットの前記指示情報を格納するための第１の情報フィールドを含み、前記パラメータ指示情報が構成パラメータである場合、該ＤＣＩは、該構成パラメータを格納するための第２の情報フィールドをさらに含む、請求項４記載の方法。
【請求項６】
前記第２の情報フィールドは、前記ＤＣＩ内の第１のプリセット位置にあり、前記第２の情報フィールドは、第１のプリセット長を有する、請求項５記載の方法。
【請求項７】
前記スケジューリング信号は、ダウンリンク制御情報（ＤＣＩ）を使って送信され、該ＤＣＩは、前記周波数ドメイン送信ユニットの前記指示情報を格納するための第１の情報フィールドを含み、前記パラメータ指示情報が前記構成パラメータを示す前記スクランブル・シーケンスである場合、該スクランブル・シーケンスはスクランブルすることによって該ＤＣＩで搬送される、請求項４記載の方法。
【請求項８】
前記周波数ドメインのリソース指示情報は、帯域幅番号指示情報をさらに含む、請求項４記載の方法。
【請求項９】
前記スケジューリング信号は、ダウンリンク制御情報（ＤＣＩ）を使って送信され、該ＤＣＩは、前記周波数ドメイン送信ユニットの前記指示情報を格納するための第１の情報フィールドと、前記帯域幅番号指示情報を格納するための第３の情報フィールドとを含み、前記パラメータ指示情報が前記構成パラメータである場合、該ＤＣＩは、前記パラメータ指示情報を格納するための第２の情報フィールドをさらに含む、請求項８記載の方法。
【請求項１０】
前記第２の情報フィールドは前記ＤＣＩ内の第１のプリセット位置にあり、前記第３の情報フィールドは前記ＤＣＩ内の第２のプリセット位置にあり、前記第２の情報フィールドは第１のプリセット長を有し、前記第３の情報フィールドは第２のプリセット長を有する、請求項９記載の方法。
【請求項１１】
前記スケジューリング信号は、ダウンリンク制御情報（ＤＣＩ）を使って送信され、該ＤＣＩは、前記周波数ドメイン送信ユニットの前記指示情報を格納するための第１の情報フィールド、および前記帯域幅番号指示情報を格納するための第３の情報ドメインを含み、前記パラメータ指示情報が前記構成パラメータを示す前記スクランブル・シーケンスである場合、該スクランブル・シーケンスはスクランブルすることによって該ＤＣＩで搬送される、請求項８記載の方法。
【請求項１２】
基地局によって送信されたスケジューリング信号を受信する前記ステップの前に、
該基地局によって送信された前記構成情報を受信および格納するステップであって、前記構成情報は、前記複数の帯域幅部分の周波数ドメインの位置、サポートされる構成パラメータのセット、および含まれるＰＲＢの番号を含む、ステップ
をさらに含む、請求項１記載の方法。
【請求項１３】
前記構成情報は、前記複数の帯域幅部分の帯域幅番号をさらに含む、請求項１２に記載の方法。
【請求項１４】
基地局によって送信されたスケジューリング信号を受信する前記ステップの前に、
該基地局によって送信されたトリガ信号を受信するステップであって、該トリガ信号は、帯域幅部分を跨がるスケジューリングがトリガされたことを示すよう構成される、ステップ
をさらに含む、請求項１記載の方法。
【請求項１５】
基地局によってターゲット帯域幅部分で送信されたスケジューリング信号を受信するよう構成される第１の受信モジュールであって、該スケジューリング信号は、周波数ドメインのリソース指示情報およびパラメータ指示情報を搬送し、該ターゲット帯域幅部分は、複数の構成された帯域幅部分の中で、該スケジューリング信号を送信できる帯域幅部分である、第１の受信モジュールと、
該周波数ドメインのリソース指示情報および予め格納された構成情報に基づいて、該ターゲット帯域幅部分が予定帯域幅部分ではないと判断すると、該周波数ドメインのリソース指示情報および該構成情報に基づいて、該複数の帯域幅部分から該予定帯域幅部分を決定するよう構成される決定モジュールと、
該パラメータ指示情報に関連付けられた構成パラメータに従って、該予定帯域幅部分を介してデータを送信するよう構成される送信モジュールと
を備える、データ送信デバイス。
【請求項１６】
前記パラメータ指示情報は、前記構成パラメータまたは前記構成パラメータを示すスクランブル・シーケンスである、請求項１５記載のデバイス。
【請求項１７】
前記送信モジュールは、
前記パラメータ指示情報がスクランブル・シーケンスである場合、スクランブル・シーケンスと該スクランブル・シーケンスに基づく構成パラメータとの間の予め格納された対応関係から、対応する構成パラメータを取得するよう構成される取得サブモジュールと、
該取得した構成パラメータに従って、前記予定帯域幅部分を介してデータを送信するよう構成される送信サブモジュールと
を備える、請求項１６記載のデバイス。
【請求項１８】
前記周波数ドメインのリソース指示情報は、周波数ドメイン送信ユニットの指示情報を含み、該周波数ドメイン送信ユニットは、１つまたは複数の物理リソース・ブロック（ＰＲＢ）を含む、請求項１５から１７のいずれか一項記載のデバイス。
【請求項１９】
前記スケジューリング信号は、ダウンリンク制御情報（ＤＣＩ）を使って送信され、該ＤＣＩは、前記周波数ドメイン送信ユニットの前記指示情報を格納するための第１の情報フィールドを含み、前記パラメータ指示情報が前記構成パラメータである場合、該ＤＣＩは、前記構成パラメータを格納するための第２の情報フィールドをさらに含む、請求項１８記載のデバイス。
【請求項２０】
前記第２の情報フィールドは、前記ＤＣＩ内の第１のプリセット位置にあり、前記第２の情報フィールドは、第１のプリセット長を有する、請求項１９記載のデバイス。
【請求項２１】
前記スケジューリング信号は、ダウンリンク制御情報（ＤＣＩ）を使って送信され、該ＤＣＩは、前記周波数ドメイン送信ユニットの前記指示情報を格納するための第１の情報フィールドを含み、前記パラメータ指示情報が前記構成パラメータを示す前記スクランブル・シーケンスである場合、該スクランブル・シーケンスはスクランブルすることによって該ＤＣＩで搬送される、請求項１８記載のデバイス。
【請求項２２】
前記周波数ドメインのリソース指示情報は、帯域幅番号指示情報をさらに含む、請求項１８記載のデバイス。
【請求項２３】
前記スケジューリング信号は、ダウンリンク制御情報（ＤＣＩ）を使って送信され、該ＤＣＩは、前記周波数ドメイン送信ユニットの前記指示情報を格納するための第１の情報フィールドと、前記帯域幅番号指示情報を格納するための第３の情報フィールドとを含み、前記パラメータ指示情報が前記構成パラメータである場合、該ＤＣＩは、前記パラメータ指示情報を格納するための第２の情報フィールドをさらに含む、請求項２２記載のデバイス。
【請求項２４】
前記第２の情報フィールドは前記ＤＣＩ内の第１のプリセット位置にあり、前記第３の情報フィールドは前記ＤＣＩ内の第２のプリセット位置にあり、前記第２の情報フィールドは第１のプリセット長を有し、前記第３の情報フィールドは第２のプリセット長を有する、請求項２３記載のデバイス。
【請求項２５】
前記スケジューリング信号は、ダウンリンク制御情報（ＤＣＩ）を使って送信され、該ＤＣＩは、前記周波数ドメイン送信ユニットの前記指示情報を格納するための第１の情報フィールド、および前記帯域幅番号指示情報を格納するための第３の情報ドメインを含み、前記パラメータ指示情報が前記構成パラメータを示す前記スクランブル・シーケンスである場合、前記スクランブル・シーケンスはスクランブルすることによって該ＤＣＩで搬送される、請求項２２記載のデバイス。
【請求項２６】
前記基地局によって送信された前記構成情報を受信および格納するよう構成される第２の受信モジュールであって、該構成情報は、前記複数の帯域幅部分の周波数ドメインの位置、サポートされる構成パラメータのセット、および含まれるＰＲＢの番号を含む、第２の受信モジュール
をさらに備える、請求項１５記載のデバイス。
【請求項２７】
前記構成情報は、前記複数の帯域幅部分の帯域幅番号をさらに含む、請求項２６記載のデバイス。
【請求項２８】
前記基地局によって送信されたトリガ信号を受信するよう構成される第３の受信モジュールであって、該トリガ信号は、帯域幅部分を跨がるスケジューリングがトリガされたことを示すよう構成される、第３の受信モジュール
をさらに備える、請求項１５記載のデバイス。
【請求項２９】
プロセッサと、
プロセッサで実行可能な命令を格納するメモリと
を備えるデータ送信デバイスであって、該プロセッサは請求項１から１４のいずれか一項記載の方法のステップを実行するよう構成される、データ送信デバイス。
【請求項３０】
プロセッサによって実行されているとき、請求項１から１４のいずれか一項記載の方法のステップを実施する、命令を格納したコンピュータ可読記憶媒体。
【発明の詳細な説明】
【技術分野】
【０００１】
本開示は通信技術分野に関し、詳細には、データ送信方法、デバイス、およびコンピュータ可読記憶媒体に関する。
【背景技術】
【０００２】
現在の通信システムは、通常、複数のサービス・タイプをサポートする必要がある。しかし、相異なるサービス・タイプには、無線通信技術に関する相異なる要件がある。たとえば、拡張モバイル・ブロードバンド（ｅＭＢＢ：ｅｎｈａｎｃｅｄ  ｍｏｂｉｌｅ  ｂｒｏａｄｂａｎｄ）サービス・タイプは、主に広帯域、高速などに焦点を当てており、超高信頼低遅延通信（ＵＲＬＬＣ：ｕｌｔｒａ−ｒｅｌｉａｂｌｅ  ｌｏｗ  ｌａｔｅｎｃｙ  ｃｏｍｍｕｎｉｃａｔｉｏｎ）サービス・タイプは、主に比較的高信頼性および低遅延に焦点を当てており、大量マシン・タイプ通信（ｍＭＴＣ：ｍａｓｓｉｖｅ  ｍａｃｈｉｎｅ  ｔｙｐｅ  ｃｏｍｍｕｎｉｃａｔｉｏｎ）サービス・タイプは、主に大量の接続数に焦点を当てている。したがって、ユーザのサービス要求および様々なサービスの様々な性能要件を満たすため、通信システムは、複数のサービス・タイプを送信する場合、複数のサービス・タイプの効率的な送信をサポートするための、柔軟で構成変更可能な設計を有する必要がある。
【０００３】
関連技術分野において、複数のサービス・タイプの柔軟な構成をサポートするために、端末は、同じヌメロロジ（エア・インタフェース送信の基本構成パラメータと理解することができる）を使用する複数のキャリアで構成され得る。たとえば、直交周波数分割多重化（ＯＦＤＭ：ｏｒｔｈｏｇｏｎａｌ  ｆｒｅｑｕｅｎｃｙ  ｄｉｖｉｓｉｏｎ  ｍｕｌｔｉｐｌｅｘｉｎｇ）に基づく設計では、複数のキャリアで使用されるサブキャリア間隔、シンボル長、巡回プレフィックス（ＣＰ：ｃｙｃｌｉｃ  ｐｒｅｆｉｘ）長などは同じである。技術が進化するにつれて、さらに、複数の帯域幅部分を１つのキャリアで構成することができ、ここで帯域幅部分とは、キャリアの周波数ドメインでのリソースを指す。データが送信されるとき、キャリアまたはキャリアの帯域幅部分がスケジューリングされ得る。次いで、対応するヌメロロジに基づいてデータが送信される。
【発明の概要】
【課題を解決するための手段】
【０００４】
関連技術分野で既存の問題を克服するために、本開示は、データ送信方法、デバイス、およびコンピュータ可読記憶媒体を提供する。
【０００５】
第１の態様では、
基地局によってターゲット帯域幅部分で送信されたスケジューリング信号を受信するステップであって、ここでスケジューリング信号は、周波数ドメインのリソース指示情報およびパラメータ指示情報を搬送し、ターゲット帯域幅部分は、複数の構成された帯域幅部分の中で、スケジューリング信号を送信できる帯域幅部分である、ステップと、
周波数ドメインのリソース指示情報および予め格納された構成情報に基づいて、ターゲット帯域幅部分が予定帯域幅部分ではないと判断された場合、周波数ドメインのリソース指示情報および構成情報に基づいて、複数の帯域幅部分から予定帯域幅部分を決定するステップと、
パラメータ指示情報に関連付けられた構成パラメータに従って、予定帯域幅部分を介してデータを送信するステップと
を含む、データ送信方法が提供される。
【０００６】
任意選択で、パラメータ指示情報は、構成パラメータまたは構成パラメータを示すスクランブル・シーケンスである。
【０００７】
任意選択で、パラメータ指示情報に関連付けられた構成パラメータに従って、予定帯域幅部分を介してデータを送信するステップは、
パラメータ指示情報がスクランブル・シーケンスである場合、スクランブル・シーケンスとスクランブル・シーケンスに基づく構成パラメータとの間の予め格納された対応関係から、対応する構成パラメータを取得するステップと、
取得した構成パラメータに従って、予定帯域幅部分を介してデータを送信するステップと
を含む。
【０００８】
任意選択で、周波数ドメインのリソース指示情報は、周波数ドメイン送信ユニットの指示情報を含み、周波数ドメイン送信ユニットは、１つまたは複数の物理リソース・ブロック（ＰＲＢ：ｐｈｙｓｉｃａｌ  ｒｅｓｏｕｒｃｅ  ｂｌｏｃｋ）を含む。
【０００９】
任意選択で、スケジューリング信号は、ダウンリンク制御情報（ＤＣＩ：ｄｏｗｎｌｉｎｋ  ｃｏｎｔｒｏｌ  ｉｎｆｏｒｍａｔｉｏｎ）を使って送信され、ＤＣＩは、周波数ドメイン送信ユニットの指示情報を格納するための第１の情報フィールドを含む。また、パラメータ指示情報が構成パラメータである場合、ＤＣＩは、構成パラメータを格納するための第２の情報フィールドをさらに含む。
【００１０】
任意選択で、第２の情報フィールドは、ＤＣＩ内の第１のプリセット位置にあり、第２の情報フィールドは、第１のプリセット長を有する。
【００１１】
任意選択で、スケジューリング信号は、ダウンリンク制御情報（ＤＣＩ）を使って送信され、ＤＣＩは、周波数ドメイン送信ユニットの指示情報を格納するための第１の情報フィールドを含む。また、パラメータ指示情報が構成パラメータを示すスクランブル・シーケンスである場合、スクランブル・シーケンスはスクランブルすることによってＤＣＩで搬送される。
【００１２】
任意選択で、周波数ドメインのリソース指示情報は、帯域幅番号指示情報をさらに含む。
【００１３】
任意選択で、スケジューリング信号は、ダウンリンク制御情報（ＤＣＩ）を使って送信され、ＤＣＩは、周波数ドメイン送信ユニットの指示情報を格納するための第１の情報フィールドと、帯域幅番号指示情報を格納するための第３の情報フィールドとを含む。また、パラメータ指示情報が構成パラメータである場合、ＤＣＩは、パラメータ指示情報を格納するための第２の情報フィールドをさらに含む。
【００１４】
任意選択で、第２の情報フィールドはＤＣＩ内の第１のプリセット位置にあり、第３の情報フィールドはＤＣＩ内の第２のプリセット位置にあり、第２の情報フィールドは第１のプリセット長を有し、第３の情報フィールドは第２のプリセット長を有する。
【００１５】
任意選択で、スケジューリング信号は、ダウンリンク制御情報（ＤＣＩ）を使って送信され、ＤＣＩは、周波数ドメイン送信ユニットの指示情報を格納するための第１の情報フィールド、および帯域幅番号指示情報を格納するための第３の情報ドメインを含み、パラメータ指示情報が構成パラメータを示すスクランブル・シーケンスである場合、スクランブル・シーケンスはスクランブルすることによってＤＣＩで搬送される。
【００１６】
任意選択で、方法は、基地局によって送信されたスケジューリング信号を受信するステップの前に、
基地局によって送信された構成情報を受信および格納するステップであって、構成情報は、複数の帯域幅部分の周波数ドメインの位置、サポートされる構成パラメータのセット、および含まれるＰＲＢの番号を含む、ステップ
をさらに含む。
【００１７】
任意選択で、構成情報は、複数の帯域幅部分の帯域幅番号をさらに含む。
【００１８】
任意選択で、方法は、基地局によって送信されたスケジューリング信号を受信するステップの前に、
基地局によって送信されたトリガ信号を受信するステップであって、ここでトリガ信号は、帯域幅部分を跨がる（ｃｒｏｓｓ−ｂａｎｄｗｉｄｔｈ  ｐａｒｔ）スケジューリングがトリガされたことを示すよう構成される、ステップ
をさらに含む。
【００１９】
第２の態様では、
基地局によってターゲット帯域幅部分で送信されたスケジューリング信号を受信するよう構成される第１の受信モジュールであって、ここでスケジューリング信号は、周波数ドメインのリソース指示情報およびパラメータ指示情報を搬送し、ターゲット帯域幅部分は、複数の構成された帯域幅部分の中で、スケジューリング信号を送信できる帯域幅部分である、第１の受信モジュールと、
周波数ドメインのリソース指示情報および予め格納された構成情報に基づいて、ターゲット帯域幅部分が予定帯域幅部分ではないと判断された場合、周波数ドメインのリソース指示情報および構成情報に基づいて、複数の帯域幅部分から予定帯域幅部分を決定するよう構成される決定モジュールと、
パラメータ指示情報に関連付けられた構成パラメータに従って、予定帯域幅部分を介してデータを送信するよう構成される送信モジュールと
を備えるデータ送信デバイスが提供される。
【００２０】
任意選択で、パラメータ指示情報は、構成パラメータまたは構成パラメータを示すスクランブル・シーケンスである。
【００２１】
任意選択で、送信モジュールは以下を備える。
【００２２】
パラメータ指示情報がスクランブル・シーケンスである場合、スクランブル・シーケンスとスクランブル・シーケンスに基づく構成パラメータとの間の予め格納された対応関係から、対応する構成パラメータを取得するよう構成される取得サブモジュールと、
取得した構成パラメータに従って、予定帯域幅部分を介してデータを送信するよう構成される送信サブモジュール。
【００２３】
任意選択で、周波数ドメインのリソース指示情報は、周波数ドメイン送信ユニットの指示情報を含み、周波数ドメイン送信ユニットは、１つまたは複数の物理リソース・ブロック（ＰＲＢ）を含む。
【００２４】
任意選択で、スケジューリング信号は、ダウンリンク制御情報（ＤＣＩ）を使って送信され、ＤＣＩは、周波数ドメイン送信ユニットの指示情報を格納するための第１の情報フィールドを含む。また、パラメータ指示情報が構成パラメータである場合、ＤＣＩは、構成パラメータを格納するための第２の情報フィールドをさらに含む。
【００２５】
任意選択で、第２の情報フィールドは、ＤＣＩ内の第１のプリセット位置にあり、第２の情報フィールドは、第１のプリセット長を有する。
【００２６】
任意選択で、スケジューリング信号は、ダウンリンク制御情報（ＤＣＩ）を使って送信され、ＤＣＩは、周波数ドメイン送信ユニットの指示情報を格納するための第１の情報フィールドを含む。また、パラメータ指示情報が構成パラメータを示すスクランブル・シーケンスである場合、スクランブル・シーケンスはスクランブルすることによってＤＣＩで搬送される。
【００２７】
任意選択で、周波数ドメインのリソース指示情報は、帯域幅番号指示情報をさらに含む。
【００２８】
任意選択で、スケジューリング信号は、ダウンリンク制御情報（ＤＣＩ）を使って送信され、ＤＣＩは、周波数ドメイン送信ユニットの指示情報を格納するための第１の情報フィールドと、帯域幅番号指示情報を格納するための第３の情報フィールドとを含む。また、パラメータ指示情報が構成パラメータである場合、ＤＣＩは、パラメータ指示情報を格納するための第２の情報フィールドをさらに含む。
【００２９】
任意選択で、第２の情報フィールドはＤＣＩ内の第１のプリセット位置にあり、第３の情報フィールドはＤＣＩ内の第２のプリセット位置にある。また、第２の情報フィールドは第１のプリセット長を有し、第３の情報フィールドは第２のプリセット長を有する。
【００３０】
任意選択で、スケジューリング信号は、ダウンリンク制御情報（ＤＣＩ）を使って送信され、ＤＣＩは、周波数ドメイン送信ユニットの指示情報を格納するための第１の情報フィールド、および帯域幅番号指示情報を格納するための第３の情報ドメインを含む。また、パラメータ指示情報が構成パラメータを示すスクランブル・シーケンスである場合、スクランブル・シーケンスはスクランブルすることによってＤＣＩで搬送される。
【００３１】
任意選択で、デバイスは以下をさらに備える。
【００３２】
基地局によって送信された構成情報を受信および格納するよう構成される第２の受信モジュールであって、ここで構成情報は、複数の帯域幅部分の周波数ドメインの位置、サポートされる構成パラメータのセット、および含まれるＰＲＢの番号を含む、第２の受信モジュール。
【００３３】
任意選択で、構成情報は、複数の帯域幅部分の帯域幅番号をさらに含む。
【００３４】
任意選択で、デバイスは、
基地局によって送信されたトリガ信号を受信するよう構成される第３の受信モジュールであって、ここでトリガ信号は、帯域幅部分を跨がるスケジューリングがトリガされたことを示すよう構成される、第３の受信モジュール
をさらに備える。
【００３５】
第３の態様では、
プロセッサと、
プロセッサで実行可能な命令を格納するメモリと
を備えるデータ送信デバイスであって、プロセッサは、第１の態様による方法のいずれかのステップを実行するよう構成される、データ送信デバイスが提供される。
【００３６】
第４の態様では、プロセッサによって実行されているとき、第１の態様による方法のいずれかのステップを実施する、命令を格納したコンピュータ可読記憶媒体を備える、データ送信デバイスを提供する。
【００３７】
本開示の実施形態で提供する技術的解決策は、以下の有益な効果を含み得る。
【００３８】
本開示の実施形態では、複数のサービス・タイプの多重化を実現させるために、端末は、データ送信のための帯域幅部分を跨がるスケジューリングを柔軟にサポートする必要がある。実際の実施態様では、複数の帯域幅部分の中で、一部の帯域幅部分は制御情報を送信でき、他は制御情報を送信できないので、端末は、基地局によってターゲット帯域幅部分で送信されたスケジューリング信号を受信し、ここでスケジューリング信号は、周波数ドメインのリソース指示情報およびパラメータ指示情報を搬送し、そして端末は、周波数ドメインのリソース指示情報および予め格納された構成情報に基づいて、ターゲット帯域幅部分が予定帯域幅部分であるかどうかを判断する。ターゲット帯域幅部分が予定帯域幅部分ではない場合、端末は、周波数ドメインのリソース指示情報および構成情報に基づいて、複数の帯域幅部分から予定帯域幅部分を決定する必要があり、次いで、パラメータ指示情報に関連付けられた構成パラメータに基づいて、予定帯域幅部分を介してデータを送信する。したがって、他の帯域幅部分は、ターゲット帯域幅部分で送信されるスケジューリング信号によってスケジューリングされ、それによって帯域幅部分を跨がるスケジューリングが実現される。
【００３９】
前述の一般的な説明および以下の詳細な説明の両方は、例示的かつ説明的なものにすぎず、本開示を限定するのを意図するものではないことを理解されたい。
【００４０】
本明細書に組み入れられ、本開示の一部を成す添付図面は、本開示と一貫する実施形態を示し、説明と共に本開示の原理を説明するように働く。
【図面の簡単な説明】
【００４１】
【図１Ａ】１つの例示的な実施形態に従って提供するシステム・アーキテクチャの図である。
【図１Ｂ】１つの例示的な実施形態に従って示す、データ送信方法の流れ図である。
【図２Ａ】別の例示的な実施形態に従って示す、データ送信方法の流れ図である。
【図２Ｂ】図２Ｂの実施形態に関連する、端末上に構成される４つの帯域幅部分の概略図である。
【図３Ａ】１つの例示的な実施形態に従って示す、データ送信デバイスの構成図である。
【図３Ｂ】別の例示的な実施形態に従って示す、データ送信デバイスの構成図である。
【図４】別の例示的な実施形態に従って示す、データ送信デバイスの構成図である。
【発明を実施するための形態】
【００４２】
ここで、例示的な実施形態を詳細に参照して、その例を添付図面に示すこととする。以下の説明は添付図面を参照しており、図面では、相異なる図面の同じ番号は、特に示さない限り、同じまたは類似の要素を表す。例示的な実施形態の以下の説明で示す実施態様は、本開示と一貫するすべての実施態様を表すものではない。そうではなくて、それらは、添付の請求の範囲に列挙されている本開示に関連する態様と一貫するデバイスおよび方法の例にすぎない。
【００４３】
本開示の実施形態を詳細に説明する前に、本開示の実施形態に関連する用語（ｎｏｕｎ）、適用例のシナリオ、およびシステム・アーキテクチャについて最初に簡単に紹介する。
【００４４】
最初に、本開示の実施形態に関連する用語について簡単に説明する。
【００４５】
パラメータ指示情報は、本開示の実施形態で定義され、基地局が端末に送信するスケジューリング信号で搬送される指示情報であり、構成パラメータまたは構成パラメータを示すスクランブル・シーケンスであり得る。構成パラメータおよびスクランブル・シーケンスの両方とも、帯域幅部分の構成パラメータを決定するためのものである。構成パラメータは、ヌメロロジである。
【００４６】
帯域幅部分は、キャリア上の周波数ドメインのリソースであり、ここで１つのキャリアは、複数の相異なる周波数ドメインのリソース、つまり複数の相異なる帯域幅部分を含む。
【００４７】
第２に、本開示の実施形態に関連する適用例のシナリオを簡単に紹介する。
【００４８】
現在、拡張現実（ＡＲ：ａｕｇｍｅｎｔｅｄ  ｒｅａｌｉｔｙ）／仮想現実（ＶＲ：ｖｉｒｔｕａｌ  ｒｅａｌｉｔｙ）などの新しいインターネット応用例が次々と登場するにつれて、無線通信技術は急速に開発され、応用例の需要を満たすように進化している。実際上の適用例のシナリオにおいて、相異なるサービス・タイプには、無線通信技術に関して相異なる需要がある。新世代の通信技術の重要な特性の１つは、複数のサービス・タイプの柔軟な構成をサポートすることである。関連技術分野では、端末が複数のキャリアで構成されるか、または１つのキャリアが複数の帯域幅部分で構成される場合、相異なるキャリアまたは帯域幅部分は、同じ構成パラメータを使用する。しかし、通信量およびサービス要件が増加すると、データ送信のために相異なるキャリアまたは帯域幅部分で相異なる構成パラメータを使用する必要が生じることが多い。したがって、データ送信のために、相異なるキャリアまたは帯域幅部分に相異なる構成パラメータが使用される場合、データを送信する端末が、いかに柔軟にキャリアを跨がる、または帯域幅部分を跨がるスケジューリングをサポートするかが、研究での論点となる。このために、本開示の実施形態はデータ送信方法を提供する。このデータ送信方法は、端末による帯域幅部分を跨がるスケジューリングを柔軟にサポートする方法に関する課題を解決する。データ送信方法の具体的な実施態様については、図１Ｂおよび図２Ａに示す実施形態を参照されたい。
【００４９】
最後に、本開示の実施形態に関連するシステム・アーキテクチャを簡単に紹介する。
【００５０】
図１Ａは、１つの例示的な実施形態に従って提供するシステム・アーキテクチャの図である。図１Ａに示すように、システム・アーキテクチャは、主に端末１１０および基地局１２０を含む。端末１１０は、無線通信ネットワークを通じて基地局１２０にアクセスすることができる。
【００５１】
基地局１２０は、主に構成情報、トリガ信号、およびスケジューリング信号を端末１１０へ送信するよう構成される。構成情報には、複数の帯域幅部分の周波数ドメインの位置、サポートされる構成パラメータのセット、および含まれるＰＲＢの番号が含まれる。トリガ信号は、帯域幅部分を跨がるスケジューリングがトリガされたことを示すように構成される。スケジューリング信号は、帯域幅部分を跨がるスケジューリングを実行するよう端末１１０に通知するように構成される。
【００５２】
端末１１０は、主に、本開示の実施形態で提供する、データ送信方法を実施するように構成される。すなわち、端末１１０は、基地局１２０によって送信された構成情報を受信および格納するよう構成される。ここでは、一例として、基地局１２０が端末１１０に送信する構成情報を示している。別の実施形態では、構成情報も予め定義することができ、これは本開示の実施形態に限定されない。加えて、端末１１０はさらに、帯域幅部分を跨がるスケジューリングをトリガするために、基地局１２０によって送信されたトリガ信号を受信するよう構成される。
【００５３】
さらに、端末１１０は、基地局１２０によって送信されたスケジューリング信号を受信すると、スケジューリング信号で搬送される周波数ドメインのリソース指示情報および予め格納された構成情報に従って、ターゲット帯域幅部分が予定帯域幅部分ではないと判断した後に、基地局１２０によって示される予定帯域幅部分を、複数の帯域幅部分から決定する。さらに、端末１１０は、スケジューリング信号で搬送されるパラメータ指示情報に関連付けられた構成パラメータに基づいて、予定帯域幅部分を介してデータを送信する。端末の具体的な実施態様の過程については、図１Ｂおよび図２Ａに示す実施形態を参照されたい。
【００５４】
実際に実施する際に、端末１１０は、無線通信を実行することができるどんなデバイスであってもよいことに留意されたい。端末１１０は、たとえば、本開示の実施形態において限定されない携帯電話などであってもよい。
【００５５】
本開示の実施形態に関連する用語、適用例のシナリオ、およびシステム・アーキテクチャを紹介した後、本開示の実施形態を以下で詳細に説明する。
【００５６】
図１Ｂは、１つの例示的な実施形態に従って示す、データ送信方法の流れ図である。図１Ｂに示すように、この方法は端末に適用され、以下のステップを含む。
【００５７】
ステップ１０１で、基地局によってターゲット帯域幅部分で送信されたスケジューリング信号が受信され、ここでスケジューリング信号は、周波数ドメインのリソース指示情報およびパラメータ指示情報を搬送し、ターゲット帯域幅部分は、複数の構成された帯域幅部分の中で、スケジューリング信号を送信できる帯域幅部分である。
【００５８】
ステップ１０２で、周波数ドメインのリソース指示情報および予め格納された構成情報に基づいて、ターゲット帯域幅部分が予定帯域幅部分ではないと判断すると、予定帯域幅部分は、周波数ドメインのリソース指示情報および構成情報に基づいて、複数の帯域幅部分から決定される。
【００５９】
ステップ１０３で、パラメータ指示情報に関連付けられた構成パラメータに従って、予定帯域幅部分を介してデータが送信される。
【００６０】
本開示の実施形態では、複数のサービス・タイプの多重化を実現させるために、端末は、データ送信のための帯域幅部分を跨がるスケジューリングを柔軟にサポートする必要がある。実際の実施態様では、複数の帯域幅部分の中で、一部の帯域幅部分は制御情報を送信でき、他は制御情報を送信できないので、端末は、基地局によってターゲット帯域幅部分で送信されたスケジューリング信号を受信し、ここでスケジューリング信号は、周波数ドメインのリソース指示情報およびパラメータ指示情報を搬送し、そして端末は、周波数ドメインのリソース指示情報および予め格納された構成情報に基づいて、ターゲット帯域幅部分が予定帯域幅部分であるかどうかを判断する。ターゲット帯域幅部分が予定帯域幅部分ではない場合、端末は、周波数ドメインのリソース指示情報および構成情報に基づいて、複数の帯域幅部分から予定帯域幅部分を決定する必要があり、次いで、パラメータ指示情報に関連付けられた構成パラメータに基づいて、予定帯域幅部分を介してデータを送信する。したがって、他の帯域幅部分は、ターゲット帯域幅部分で送信されるスケジューリング信号によってスケジューリングされ、それによって帯域幅部分を跨がるスケジューリングが実現される。
【００６１】
任意選択で、パラメータ指示情報は、構成パラメータまたは構成パラメータを示すスクランブル・シーケンスである。
【００６２】
任意選択で、パラメータ指示情報に関連付けられた構成パラメータに従って、予定帯域幅部分を介してデータが送信されるステップは、以下を含む。
パラメータ指示情報がスクランブル・シーケンスである場合、スクランブル・シーケンスとスクランブル・シーケンスに基づく構成パラメータとの間の予め格納された対応関係から、対応する構成パラメータが取得されるステップと、
取得した構成パラメータに従って、予定帯域幅部分を介してデータが送信されるステップ。
【００６３】
任意選択で、周波数ドメインのリソース指示情報は、周波数ドメイン送信ユニットの指示情報を含み、周波数ドメイン送信ユニットは、１つまたは複数のＰＲＢを含む。
【００６４】
任意選択で、スケジューリング信号はＤＣＩを使って送信される。ＤＣＩは、周波数ドメイン送信ユニットの指示情報を格納するための、第１の情報フィールドを含む。パラメータ指示情報が構成パラメータである場合、ＤＣＩは、構成パラメータを格納するための第２の情報フィールドをさらに含む。
【００６５】
任意選択で、第２の情報フィールドは、ＤＣＩ内の第１のプリセット位置にあり、第２の情報フィールドは、第１のプリセット長を有する。
【００６６】
任意選択で、スケジューリング信号はＤＣＩを使って送信される。ＤＣＩは、周波数ドメイン送信ユニットの指示情報を格納するための、第１の情報フィールドを含む。パラメータ指示情報が構成パラメータを示すスクランブル・シーケンスである場合、スクランブル・シーケンスは、ＤＣＩでスクランブルすることによって搬送される。
【００６７】
任意選択で、周波数ドメインのリソース指示情報は、帯域幅番号指示情報をさらに含む。
【００６８】
任意選択で、スケジューリング信号はダウンリンク制御情報（ＤＣＩ）を使って送信される。ＤＣＩは、周波数ドメイン送信ユニットの指示情報を格納するための第１の情報フィールド、および帯域幅番号指示情報を格納するための第３の情報フィールドを含む。パラメータ指示情報が構成パラメータである場合、ＤＣＩは、パラメータ指示情報を格納するための第２の情報フィールドをさらに含む。
【００６９】
任意選択で、第２の情報フィールドは、ＤＣＩ内の第１のプリセット位置にあり、第３の情報フィールドは、ＤＣＩ内の第２のプリセット位置にある。第２の情報フィールドは、第１のプリセット長を有し、第３の情報フィールドは、第２のプリセット長を有する。
【００７０】
任意選択で、スケジューリング信号はダウンリンク制御情報（ＤＣＩ）を使って送信される。ＤＣＩは、周波数ドメイン送信ユニットの指示情報を格納するための第１の情報フィールド、および帯域幅番号指示情報を格納するための第３の情報フィールドを含む。パラメータ指示情報が構成パラメータを示すスクランブル・シーケンスである場合、スクランブル・シーケンスは、ＤＣＩでスクランブルすることによって搬送される。
【００７１】
任意選択で、方法は、基地局によって送信されたスケジューリング信号が受信されるステップの前に、以下のステップをさらに含む。
基地局によって送信された構成情報を受信および格納するステップであって、ここで構成情報は、複数の帯域幅部分の周波数ドメインの位置、サポートされる構成パラメータのセット、および含まれるＰＲＢの番号を含む、ステップ。
【００７２】
任意選択で、構成情報は、複数の帯域幅部分の帯域幅番号をさらに含む。
【００７３】
任意選択で、方法は、基地局によって送信されたスケジューリング信号が受信されるステップの前に、以下のステップをさらに含む：
基地局によって送信されたトリガ信号を受信するステップであって、ここでトリガ信号は、帯域幅部分を跨がるスケジューリングがトリガされたことを示すよう構成される、ステップ。
【００７４】
上記の任意選択の技術解決策はすべて、任意に組み合わせたやり方で本開示の任意選択の実施形態を形成することができ、本明細書でこれ以上の説明はしない。
【００７５】
図２Ａは、１つの例示的な実施形態に従って示す、データ送信方法の流れ図である。図２Ａに示すように、このデータ送信方法は、図１Ａに示すシステム・アーキテクチャに適用することができ、以下のいくつかの実施態様のステップを含み得る。
【００７６】
ステップ２０１では、基地局によって送信された構成情報が受信および格納され、ここで、構成情報は、複数の帯域幅部分の周波数ドメインの位置、サポートされる構成パラメータのセット、および含まれるＰＲＢの番号を含む。
【００７７】
本開示の実施形態を実施する前に、基地局は、構成情報を端末に送信することができる。それに対応して、端末は、構成情報を受信した後に、続いて構成情報に基づいて帯域幅部分のスケジューリングができるように、構成情報を局所的に格納することができる。詳細については、以下のステップを参照されたい。
【００７８】
構成情報は、システム情報、高いレイヤでの信号送信、または物理層での信号送信によって、基地局から端末に送信され得ることに留意されたい。高いレイヤでの信号送信には、無線リソース制御（ＲＲＣ：ｒａｄｉｏ  ｒｅｓｏｕｒｃｅ  ｃｏｎｔｒｏｌ）での信号送信、メディア・アクセス制御（ＭＡＣ：ｍｅｄｉａ  ａｃｃｅｓｓ  ｃｏｎｔｒｏｌ）での信号送信などが含まれ得る。もちろん、実際の適用例では、構成情報は、他のモードでも送信することができる。
【００７９】
構成情報は、複数の帯域幅部分の周波数ドメインの位置、サポートされる構成パラメータのセット、および含まれるＰＲＢの番号を含むことができ、キャリア上で複数の帯域幅部分を設定するよう構成されるので、端末は、構成情報を受信すると、構成情報を格納することができる。この時点で、複数の帯域幅部分が構成されたと見なされ得る。
【００８０】
複数の帯域幅部分が、同じキャリア上の帯域幅部分であり得ることに留意されたい。もちろん、複数の帯域幅部分は、相異なるキャリア上の帯域幅部分である場合がある。つまり、その後のスケジューリングの際に、同じキャリアの帯域幅部分を使って、または相異なるキャリアの帯域幅部分を使って、帯域幅部分を跨がるスケジューリングが実行され得る。加えて、複数の帯域幅部分は、周波数ドメインで連続的または不連続的であってもよい。
【００８１】
複数の帯域幅部分のＰＲＢは、連続的に番号を付けることができる。つまり、複数の帯域幅部分のＰＲＢの番号は重複しない。たとえば、帯域幅部分１には３つのＰＲＢが含まれ、それぞれ１、２、および３の番号が付される。帯域幅部分２には２つのＰＲＢが含まれ、それぞれ４および５の番号が付される。帯域幅部分３には２つのＰＲＢが含まれ、それぞれ６および７の番号が付される。そして帯域幅部分４には３つのＰＲＢが含まれ、それぞれ８、９、および１０の番号が付される。この場合、端末は、ＰＲＢの番号を使って相異なる帯域幅部分を明確に区別し、それによって帯域幅を跨るスケジューリングを実施することができる。ただし、実際の適用例では、複数の帯域幅部分のＰＲＢが連続的に番号を付されていない場合がある。このとき、場合によっては、複数の帯域幅部分のＰＲＢが同じ番号を付されている。たとえば、帯域幅部分１には３つのＰＲＢが含まれ、それぞれ１、２、および３の番号が付される。帯域幅部分２には２つのＰＲＢが含まれ、それぞれ１および２の番号が付される。帯域幅部分３には２つのＰＲＢが含まれ、それぞれ１および３の番号が付される。そして帯域幅部分４には３つのＰＲＢが含まれ、それぞれ１、３、および４の番号が付される。このとき、端末は、ＰＲＢの番号を使って相異なる帯域幅部分を区別することができない。したがってこの場合、基地局から端末に送信される構成情報には、複数の帯域幅部分の帯域幅番号がさらに含まれ得る。その結果、端末は、ＰＲＢの番号および帯域幅番号に基づいて、相異なる帯域幅部分を区別することができる。
【００８２】
実際の適用例では、基地局によって送信される構成情報は、複数の帯域幅部分のスケジューリング指示情報をさらに含む場合があり、ここでスケジューリング指示情報は、複数の帯域幅部分の中で、どの帯域幅部分が制御情報を送信するよう機能し、どの帯域幅部分が制御情報を送信できないかを示すよう構成される。したがって、制御情報を送信するよう機能し得る帯域幅部分については、こうした帯域幅部分で制御情報を送信することができ、またこうした帯域幅部分を、データを送信するためにスケジューリングすることもできる。制御情報を送信できない帯域幅部分については、こうした帯域幅部分は、データを送信するために制御情報を送信するよう機能し得る、他の帯域幅部分で受信されたスケジューリング信号だけを使ってスケジューリングされ得る。この現象は、帯域幅部分を跨がるスケジューリングと呼ばれる。
【００８３】
たとえば、図２Ｂに示すように、それぞれ帯域幅部分１、帯域幅部分２、帯域幅部分３、および帯域幅部分４である、４つの帯域幅部分が１つのキャリア上に構成される。構成情報のスケジューリング指示情報を使って、帯域幅部分１および帯域幅部分３は制御情報を送信するよう機能することができ、帯域幅部分２および帯域幅部分４は制御情報を送信できないと判断されるかもしれない。したがって、帯域幅部分２および帯域幅部分４は、データを送信するために、帯域幅部分１または帯域幅部分３で送信される制御情報を使ってスケジューリングされ得る。
【００８４】
本開示の実施形態では、基地局によって端末に送信される構成情報は、例として示しているにすぎないことに留意されたい。実際上の実施態様では、構成情報は予め定義することができ、これは本開示の実施形態に限定されない。
【００８５】
上記のステップ２０１によって複数の帯域幅部分が構成された後、帯域幅部分がスケジューリングされるとき、以下のステップ２０２によって帯域幅部分を跨がるスケジューリングがトリガされ得る。
【００８６】
ステップ２０２では、基地局によって送信されたトリガ信号が受信され、ここでトリガ信号は、帯域幅部分を跨がるスケジューリングがトリガされたことを示すよう構成される。
【００８７】
実際の適用例では、サービス量が増大する場合など、端末が帯域幅を跨がるスケジューリングを実行する必要がある、多くの場合がある。つまり、様々な場合で、端末が帯域幅を跨がるスケジューリングを実行するタイミングは異なる。したがって、帯域幅部分を跨がるスケジューリングが必要な場合、端末に帯域幅部分を跨がるスケジューリングを実行するよう通知するために、基地局は端末にトリガ信号を送信することができる。つまり、トリガ信号は、帯域幅部分を跨がるスケジューリングがトリガされたことを示すよう構成される。
【００８８】
トリガ信号は、ＲＲＣでの信号送信、システム情報、ＭＡＣでの信号送信、または物理層での信号送信によって送信できることに留意されたい。
【００８９】
加えて、上記のステップ２０２は、本開示の実施形態を実施するのに必ずしも必要なステップではない。すなわち、本開示の実施形態では、複数の帯域幅部分が構成された後、帯域幅部分を跨がるスケジューリングが直接トリガされ得る。このとき、帯域幅部分を跨がるスケジューリングは、上記のステップ２０２なしに実行することができる。
【００９０】
ステップ２０３で、基地局によってターゲット帯域幅部分で送信されたスケジューリング信号が受信され、ここでスケジューリング信号は、周波数ドメインのリソース指示情報およびパラメータ指示情報を搬送し、ターゲット帯域幅部分は、複数の構成された帯域幅部分の中で、スケジューリング信号を送信できる帯域幅部分である。
【００９１】
上記のように、端末と基地局との両方が、構成情報に基づいて、複数の帯域幅部分の周波数ドメインの位置、サポートされる構成パラメータのセット、および含まれるＰＲＢの番号を正確に取得することができる。基地局は、帯域幅部分をスケジューリングする必要がある場合、複数の帯域幅部分から、制御情報を送信できるターゲット帯域幅部分を決定することができる。このとき、スケジューリング信号は、ターゲット帯域幅部分で送信され得る。
【００９２】
周波数ドメインのリソース指示情報は、周波数ドメイン送信ユニットの指示情報を含むことに留意されたい。周波数ドメイン送信ユニットは、周波数ドメインで情報を送信するための基本単位であり、１つまたは複数のＰＲＢを含む。周波数ドメイン送信ユニットの指示情報は、１つまたは複数のＰＲＢの番号を示すよう構成され得る。さらに、複数の帯域幅部分のＰＲＢが同じ番号を有する場合、周波数ドメインのリソース指示情報は、予定帯域幅部分の帯域幅番号を示すために、帯域幅番号指示情報をさらに含むことができる。加えて、パラメータ指示情報は、予定帯域幅部分がデータを送信するときに使用される構成パラメータを示すよう構成される。任意選択で、パラメータ指示情報は、構成パラメータまたは構成パラメータを示すスクランブル・シーケンスであってもよい。
【００９３】
加えて、スケジューリング信号はダウンリンク制御情報（ＤＣＩ）を使って送信される。周波数ドメインのリソース指示情報が周波数ドメイン送信ユニットの指示情報を含む場合、ＤＣＩが周波数ドメイン送信ユニットの指示情報を格納するための１つの情報フィールドを元々有しているので、つまり、ＤＣＩ内の第１の情報フィールドは、周波数ドメイン送信ユニットの指示情報を格納するよう構成される。このとき、ＤＣＩでパラメータ指示情報を搬送するために、パラメータ指示情報が構成パラメータである場合、１つの情報フィールド、つまり第２の情報フィールドがＤＣＩ内で定義され、第２の情報フィールドは、構成パラメータを格納するよう構成される。または、パラメータ指示情報が構成パラメータを示すスクランブル・シーケンスである場合、スクランブル・シーケンスは、ＤＣＩでスクランブルすることによって搬送される。つまり、スクランブル・シーケンスは、ＤＣＩでスクランブルすることができ、それによって構成パラメータを示す。
【００９４】
さらに、周波数ドメインのリソース指示情報が、上記の情報フィールドに加えて、周波数ドメイン送信ユニットの指示情報および帯域幅番号指示情報を含む場合、１つの情報フィールド、すなわち第３の情報フィールドをＤＣＩ内で定義することができ、第３の情報フィールドは、帯域幅番号指示情報を格納するよう構成される。
【００９５】
第２の情報フィールドは、ＤＣＩ内の第１のプリセット位置にあり、第２の情報フィールドは、第１のプリセット長を有する。第３の情報フィールドは、ＤＣＩ内の第２のプリセット位置にあり、第３の情報フィールドは、第２のプリセット長を有する。
【００９６】
第２の情報フィールド長および第３の情報フィールド長は、固定ビット長に設定してもよいことに留意されたい。もちろん、実際の適用例では、第２の情報フィールド長および第３の情報フィールド長は、実際の状況に応じて設定してもよい。特定の第２の情報フィールド長および第３の情報フィールド長は、端末上に構成された帯域幅部分の帯域幅番号およびサポートされる構成パラメータの番号に関連する。たとえば、端末が４種類の構成パラメータをサポートしている場合、ＤＣＩ内にパラメータ指示情報を格納するための第２の情報フィールドは、「００」、「０１」、「１０」、または「１１」などの、２ビットの長さを有することができる。
【００９７】
ステップ２０４で、周波数ドメインのリソース指示情報および予め格納された構成情報に基づいて、ターゲット帯域幅部分が予定帯域幅部分ではないと判断すると、予定帯域幅部分は、周波数ドメインのリソース指示情報および構成情報に基づいて、複数の帯域幅部分から決定される。
【００９８】
前述の説明から、基地局によってターゲット帯域幅部分で送信されるスケジューリング信号は、データ送信のために、ターゲット帯域幅部分をスケジューリングすることを目的とし得ることがわかる。もちろん、データ送信のために、ターゲット帯域幅部分で他の帯域幅部分をスケジューリングすることも目的とすることができる。したがって、基地局によってターゲット帯域幅部分で送信されたスケジューリング信号を受信すると、スケジューリング信号の周波数ドメインのリソース指示情報および予め格納された構成情報に基づいて、ターゲット帯域幅部分が予定帯域幅部分であるかどうかを判断することができる。ターゲット帯域幅部分が予定帯域幅部分ではない場合、予定帯域幅部分は、周波数ドメインのリソース指示情報および構成情報に基づいて、複数の帯域幅部分から決定される。たとえば図２Ｂに示すように、１つのキャリアは、４つの帯域幅部分で構成される。端末は、周波数ドメインのリソース指示情報および予め格納された構成情報に基づいて、これら４つの帯域幅部分から予定帯域幅部分を決定することができる。
【００９９】
複数の帯域幅部分のＰＲＢの番号は重複しない場合、構成情報には、複数の帯域幅部分の周波数ドメインの位置、サポートされる構成パラメータのセット、および含まれるＰＲＢの番号が含まれるので、周波数ドメインのリソース指示情報が示すＰＲＢの番号が、ターゲット帯域幅部分のＰＲＢの番号と比較され得る。そしてＰＲＢの番号が同じ場合、ターゲット帯域幅部分は予定帯域幅部分であると判断され、ＰＲＢの番号が相異なる場合、ターゲット帯域幅部分は予定帯域幅部分ではないと判断される。ターゲット帯域幅部分が予定帯域幅部分ではない場合、構成情報に従って、周波数ドメインのリソース指示情報で示されるＰＲＢの番号と同じＰＲＢの番号の帯域幅部分が、複数の帯域幅部分から選択され、選択された帯域幅部分が、予定帯域幅部分として決定される。
【０１００】
同じ理由によって、複数の帯域幅部分のＰＲＢが、もしかして同じ番号を有している場合、構成情報には、複数の帯域幅部分の周波数ドメインの位置、サポートされる構成パラメータのセット、含まれるＰＲＢの番号、および帯域幅番号が含まれるので、周波数ドメインのリソース指示情報が示すＰＲＢの番号、および帯域幅番号指示情報が示す帯域幅番号が、ターゲット帯域幅部分のＰＲＢの番号および帯域幅番号とそれぞれ比較され得る。そしてＰＲＢの番号および帯域幅番号がそれぞれ同じ場合、ターゲット帯域幅部分は予定帯域幅部分であると判断され、異なる場合、ターゲット帯域幅部分は予定帯域幅部分ではないと判断される。ターゲット帯域幅部分が予定帯域幅部分ではない場合、構成情報に従って、周波数ドメインのリソース指示情報が示すＰＲＢの番号、および帯域幅番号指示情報が示す帯域幅番号と、それぞれ同じＰＲＢの番号および帯域幅番号の帯域幅部分が、複数の帯域幅部分から選択され、選択された帯域幅部分が、予定帯域幅部分として決定される。
【０１０１】
ステップ２０５で、パラメータ指示情報に関連付けられた構成パラメータに従って、予定帯域幅部分を介してデータが送信される。
【０１０２】
前述の説明に基づいて、構成情報には、複数の帯域幅部分でサポートされる構成パラメータのセットが含まれる。つまり、各帯域幅部分は、複数の構成パラメータをサポートすることができ、パラメータ指示情報に関連付けられた構成パラメータは、複数の構成パラメータのうちの１つであり得る。したがって、予定帯域幅部分が決定された後、パラメータ指示情報に関連付けられた構成パラメータに従って、予定帯域幅部分の周波数ドメインの位置で、データを送信することができる。
【０１０３】
加えて、上記のパラメータ指示情報は、構成パラメータまたは構成パラメータを示すスクランブル・シーケンスであってもよい。したがって、パラメータ指示情報がスクランブル・シーケンスである場合、スクランブル・シーケンスとスクランブル・シーケンスに基づく構成パラメータとの間の予め格納された対応関係から、対応する構成パラメータを取得する必要があり、次いで、取得した構成パラメータに従って、予定帯域幅部分の周波数ドメインの位置でデータを送信することができる。
【０１０４】
スクランブル・シーケンスと構成パラメータとの間の対応関係は、システム信号送信、ＲＲＣでの信号送信、ＭＡＣでの信号送信、または物理層での信号送信によって、基地局から端末に送信され得ることに留意されたい。もちろん、これも予め定義することができ、本開示の実施形態に限定されない。
【０１０５】
本開示の実施形態では、複数のサービス・タイプの多重化を実現させるために、端末は、データ送信のための帯域幅部分を跨がるスケジューリングを柔軟にサポートする必要がある。実際の実施態様では、複数の帯域幅部分の中で、一部の帯域幅部分は制御情報を送信でき、他は制御情報を送信できないので、端末は、基地局によってターゲット帯域幅部分で送信されたスケジューリング信号を受信し、ここでスケジューリング信号は、周波数ドメインのリソース指示情報およびパラメータ指示情報を搬送し、そして端末は、周波数ドメインのリソース指示情報および予め格納された構成情報に基づいて、ターゲット帯域幅部分が予定帯域幅部分であるかどうかを判断する。ターゲット帯域幅部分が予定帯域幅部分ではない場合、端末は、周波数ドメインのリソース指示情報および構成情報に基づいて、複数の帯域幅部分から予定帯域幅部分を決定する必要があり、次いで、パラメータ指示情報に関連付けられた構成パラメータに基づいて、予定帯域幅部分を介してデータを送信する。したがって、他の帯域幅部分は、ターゲット帯域幅部分で送信されるスケジューリング信号によってスケジューリングされ、それによって帯域幅部分を跨がるスケジューリングが実現される。
【０１０６】
図３は、１つの例示的な実施形態に従って示す、データ送信デバイス３００の構成図である。図３に示すように、デバイス３００は以下を備える。
基地局によってターゲット帯域幅部分で送信されたスケジューリング信号を受信するよう構成される第１の受信モジュール３０１であって、ここでスケジューリング信号は、周波数ドメインのリソース指示情報およびパラメータ指示情報を搬送し、ターゲット帯域幅部分は、複数の構成された帯域幅部分の中で、スケジューリング信号を送信できる帯域幅部分である、第１の受信モジュール３０１と、
周波数ドメインのリソース指示情報および予め格納された構成情報に基づいて、ターゲット帯域幅部分が予定帯域幅部分ではないと判断すると、周波数ドメインのリソース指示情報および構成情報に基づいて、複数の帯域幅部分から予定帯域幅部分を決定するよう構成される決定モジュール３０２と、
パラメータ指示情報に関連付けられた構成パラメータに従って、予定帯域幅部分を介してデータを送信するよう構成される送信モジュール３０３。
【０１０７】
任意選択で、パラメータ指示情報は、構成パラメータまたは構成パラメータを示すスクランブル・シーケンスである。
【０１０８】
任意選択で、図３Ｂに示すように、送信モジュール３０３は以下を備える。
パラメータ指示情報がスクランブル・シーケンスである場合、スクランブル・シーケンスとスクランブル・シーケンスに基づく構成パラメータとの間の予め格納された対応関係から、対応する構成パラメータを取得するよう構成される取得サブモジュール３０３１と、
取得した構成パラメータに従って、予定帯域幅部分を介してデータを送信するよう構成される送信サブモジュール３０３２。
【０１０９】
任意選択で、周波数ドメインのリソース指示情報は、周波数ドメイン送信ユニットの指示情報を含み、周波数ドメイン送信ユニットは、１つまたは複数のＰＲＢを含む。
【０１１０】
任意選択で、スケジューリング信号はダウンリンク制御情報（ＤＣＩ）を使って送信される。ＤＣＩは、周波数ドメイン送信ユニットの指示情報を格納するための、第１の情報フィールドを含む。パラメータ指示情報が構成パラメータである場合、ＤＣＩは、構成パラメータを格納するための第２の情報フィールドをさらに含む。
【０１１１】
任意選択で、第２の情報フィールドは、ＤＣＩ内の第１のプリセット位置にあり、第２の情報フィールドは、第１のプリセット長を有する。
【０１１２】
任意選択で、スケジューリング信号はダウンリンク制御情報（ＤＣＩ）を使って送信される。ＤＣＩは、周波数ドメイン送信ユニットの指示情報を格納するための、第１の情報フィールドを含む。パラメータ指示情報が構成パラメータを示すスクランブル・シーケンスである場合、スクランブル・シーケンスは、ＤＣＩでスクランブルすることによって搬送される。
【０１１３】
任意選択で、周波数ドメインのリソース指示情報は、帯域幅番号指示情報をさらに含む。
【０１１４】
任意選択で、スケジューリング信号はダウンリンク制御情報（ＤＣＩ）を使って送信される。ＤＣＩは、周波数ドメイン送信ユニットの指示情報を格納するための第１の情報フィールド、および帯域幅番号指示情報を格納するための第３の情報フィールドを含む。パラメータ指示情報が構成パラメータである場合、ＤＣＩは、パラメータ指示情報を格納するための第２の情報フィールドをさらに含む。
【０１１５】
任意選択で、第２の情報フィールドは、ＤＣＩ内の第１のプリセット位置にあり、第３の情報フィールドは、ＤＣＩ内の第２のプリセット位置にある。第２の情報フィールドは、第１のプリセット長を有し、第３の情報フィールドは、第２のプリセット長を有する。
【０１１６】
任意選択で、スケジューリング信号はダウンリンク制御情報（ＤＣＩ）を使って送信される。ＤＣＩは、周波数ドメイン送信ユニットの指示情報を格納するための第１の情報フィールド、および帯域幅番号指示情報を格納するための第３の情報フィールドを含む。パラメータ指示情報が構成パラメータを示すスクランブル・シーケンスである場合、スクランブル・シーケンスは、ＤＣＩでスクランブルすることによって搬送される。
【０１１７】
任意選択で、デバイス３００は、さらに以下を備える。
【０１１８】
基地局によって送信された構成情報を受信および格納するよう構成される第２の受信モジュールであって、ここで構成情報は、複数の帯域幅部分の周波数ドメインの位置、サポートされる構成パラメータのセット、および含まれるＰＲＢの番号を含む、第２の受信モジュール。
【０１１９】
任意選択で、構成情報は、複数の帯域幅部分の帯域幅番号をさらに含む。
【０１２０】
任意選択で、デバイスは、さらに以下を備える。
基地局によって送信されたトリガ信号を受信するよう構成される第３の受信モジュールであって、ここでトリガ信号は、帯域幅部分を跨がるスケジューリングがトリガされたことを示すよう構成される、第３の受信モジュール。
【０１２１】
本開示の実施形態では、複数のサービス・タイプの多重化を実現させるために、端末は、データ送信のための帯域幅部分を跨がるスケジューリングを柔軟にサポートする必要がある。実際の実施態様では、複数の帯域幅部分の中で、一部の帯域幅部分は制御情報を送信でき、他は制御情報を送信できないので、端末は、基地局によってターゲット帯域幅部分で送信されたスケジューリング信号を受信し、ここでスケジューリング信号は、周波数ドメインのリソース指示情報およびパラメータ指示情報を搬送し、そして端末は、周波数ドメインのリソース指示情報および予め格納された構成情報に基づいて、ターゲット帯域幅部分が予定帯域幅部分であるかどうかを判断する。ターゲット帯域幅部分が予定帯域幅部分ではない場合、端末は、周波数ドメインのリソース指示情報および構成情報に基づいて、複数の帯域幅部分から予定帯域幅部分を決定する必要があり、次いで、パラメータ指示情報に関連付けられた構成パラメータに基づいて、予定帯域幅部分を介してデータを送信する。したがって、他の帯域幅部分は、ターゲット帯域幅部分で送信されるスケジューリング信号によってスケジューリングされ、それによって帯域幅部分を跨がるスケジューリングが実現される。
【０１２２】
上記の実施形態のデバイスについて、各モジュールが動作を実行する特定のモードは、関連する方法の実施形態で詳細に説明してきており、ここでこれ以上詳細には説明しない。
【０１２３】
図４は、例示的な実施形態によるデバイス４００の構成図である。たとえば、デバイス４００は、携帯電話、コンピュータ、デジタル放送端末、メッセージング・デバイス、ゲーム機用コンソール、タブレット・デバイス、医用デバイス、フィットネス機器、個人向け携帯情報端末などであり得る。
【０１２４】
図４を参照すると、デバイス４００は、１つまたは複数の以下の部品を備え得る。処理部品４０２、メモリ４０４、電力部品４０６、マルチメディア部品４０８、音声部品４１０、入出力（Ｉ／Ｏ：ｉｎｐｕｔ／ｏｕｔｐｕｔ）インタフェース４１２、センサ部品４１４、および通信部品４１６。
【０１２５】
処理部品４０２は、典型的には、表示、電話通話、データ通信、カメラ動作、および記録動作に関連する動作など、デバイス４００の全体的な動作を制御する。処理部品４０２は、上述の方法におけるステップの全部または一部を遂行するための命令を実行する、１つまたは複数のプロセッサ４２０を備え得る。さらに、処理部品４０２は、処理部品４０２と他の部品との間で容易に相互作用する、１つまたは複数のモジュールを備え得る。たとえば、処理部品４０２は、マルチメディア部品４０８と処理部品４０２との間で容易に相互作用するマルチメディア・モジュールを備え得る。
【０１２６】
メモリ４０４は、デバイス４００の動作をサポートするために、様々な種類のデータを格納するよう構成される。かかるデータの例には、デバイス４００上で動作するあらゆる適用例または方法のための命令、連絡先データ、電話帳データ、メッセージ、写真、ビデオなどが含まれる。メモリ４０４は、静的ランダム・アクセス・メモリ（ＳＲＡＭ：ｓｔａｔｉｃ  ｒａｎｄｏｍ  ａｃｃｅｓｓ  ｍｅｍｏｒｙ）、電気的に消去可能でプログラム可能な読取専用メモリ（ＥＥＰＲＯＭ：ｅｌｅｃｔｒｉｃａｌｌｙ  ｅｒａｓａｂｌｅ  ｐｒｏｇｒａｍｍａｂｌｅ  ｒｅａｄ−ｏｎｌｙ  ｍｅｍｏｒｙ）、消去可能でプログラム可能な読取専用メモリ（ＥＰＲＯＭ：ｅｒａｓａｂｌｅ  ｐｒｏｇｒａｍｍａｂｌｅ  ｒｅａｄ−ｏｎｌｙ  ｍｅｍｏｒｙ）、プログラム可能な読取専用メモリ（ＰＲＯＭ：ｐｒｏｇｒａｍｍａｂｌｅ  ｒｅａｄ−ｏｎｌｙ  ｍｅｍｏｒｙ）、読取専用メモリ（ＲＯＭ：ｒｅａｄ−ｏｎｌｙ  ｍｅｍｏｒｙ）、磁気メモリ、フラッシュ・メモリ、磁気または光ディスクなど、任意の種類の揮発性または不揮発性のメモリデバイス、あるいはその組合せを使用して実現され得る。
【０１２７】
電力部品４０６は、デバイス４００の様々な部品に電力を供給する。電力部品４０６は、電力管理システム、１つまたは複数の電源、ならびにデバイス４００における電力の生成、管理、および分配に関連する他の任意の部品を備え得る。
【０１２８】
マルチメディア部品４０８は、デバイス４００とユーザとの間の出力インタフェースを提供する画面を備える。いくつかの実施形態では、画面は、液晶ディスプレイ（ＬＣＤ：ｌｉｑｕｉｄ  ｃｒｙｓｔａｌ  ｄｉｓｐｌａｙ）およびタッチ・パネル（ＴＰ：ｔｏｕｃｈ  ｐａｎｅｌ）を備え得る。画面がタッチ・パネルを備える場合、画面は、ユーザからの入力信号を受信するためのタッチ・スクリーンとして実現され得る。タッチ・パネルは、タッチ・パネル上でタッチ、スワイプ、およびジェスチャを検知する、１つまたは複数のタッチ・センサを備える。タッチ・センサは、タッチまたはスワイプ動作の範囲を検知するだけでなく、タッチまたはスワイプ動作に関する持続時間および圧力も検知することができる。いくつかの実施形態では、マルチメディア部品４０８は、前面カメラおよび／または背面カメラを備える。前面カメラおよび背面カメラは、デバイス４００が写真撮影モードまたはビデオ・モードなどの動作モードにある間に、外部マルチメディア・データを受信することができる。前面カメラおよび背面カメラはそれぞれ、固定光学レンズ・システムであってもよく、または焦点および光学ズーム機能を有していてもよい。
【０１２９】
音声部品４１０は、音声信号を出力および／または入力するよう構成される。たとえば、音声部品４１０は、デバイス４００が通話モード、録音モード、および音声認識モードなどの動作モードにあるとき、外部音声信号を受信するよう構成されるマイク（ＭＩＣ：ｍｉｃｒｏｐｈｏｎｅ）を備える。受信された音声信号は、メモリ４０４にさらに格納されてもよく、または通信部品４１６を介して送信されてもよい。いくつかの実施形態では、音声部品４１０は、音声信号を出力するためのスピーカをさらに備える。
【０１３０】
Ｉ／Ｏインタフェース４１２は、処理部品４０２と、キーボード、クリック・ホイール、ボタンなどの周辺インタフェース・モジュールとの間のインタフェースを提供する。ボタンには、ホームボタン、音量ボタン、開始ボタン、およびロックボタンが含まれ得るが、これらに限定されるものではない。
【０１３１】
センサ部品４１４は、デバイス４００の様々な態様の状態評価を可能にする１つまたは複数のセンサを備える。たとえば、センサ部品４１４は、デバイス４００のオン／オフ状態、たとえばデバイス４００の表示デバイスおよびミニ・キーボードなどの部品の相対的な位置を検出することができる。またセンサ部品４１４は、デバイス４００またはデバイス４００の部品の位置の変化、ユーザのデバイス４００との接触の有無、デバイス４００の向きまたは加速／減速、およびデバイス４００の温度変化も検出することができる。センサ部品４１４は、どんな物理的接触もなしに、近くの物体の存在を検出するよう構成される近接センサを備え得る。センサ部品４１４は、撮像用途に使用されるＣＭＯＳまたはＣＣＤ画像センサなどの光センサも備え得る。いくつかの実施形態では、センサ部品４１４は、加速度計センサ、ジャイロスコープ・センサ、磁気センサ、圧力センサ、または温度センサも備え得る。
【０１３２】
通信部品４１６は、デバイス４００と他のデバイスとの間で、容易に有線または無線で通信するよう構成される。デバイス４００は、Ｗｉ−Ｆｉ、２Ｇもしくは３Ｇ、またはその組合せなどの通信規格に基づいて、無線ネットワークにアクセスすることができる。例示的な実施形態では、通信部品４１６は、放送チャネルを通じて、外部放送管理システムから放送信号または放送関連情報を受信する。例示的な実施形態では、通信部品４１６は、容易に短距離通信を行うために、近距離通信（ＮＦＣ：ｎｅａｒ  ｆｉｅｌｄ  ｃｏｍｍｕｎｉｃａｔｉｏｎ）モジュールをさらに備える。たとえば、ＮＦＣモジュールは、無線周波数識別（ＲＦＩＤ：ｒａｄｉｏ  ｆｒｅｑｕｅｎｃｙ  ｉｄｅｎｔｉｆｉｃａｔｉｏｎ）技術、赤外線データ協会（ＩｒＤＡ：ｉｎｆｒａｒｅｄ  ｄａｔａ  ａｓｓｏｃｉａｔｉｏｎ）技術、超広帯域（ＵＷＢ：ｕｌｔｒａ−ｗｉｄｅｂａｎｄ）技術、ブルートゥース（登録商標）（ＢＴ：Ｂｌｕｅｔｏｏｔｈ（登録商標））技術、および他の技術に基づいて実現され得る。
【０１３３】
例示的な実施形態では、デバイス４００は、上記の方法を実行するための、１つまたは複数の特定用途向け集積回路（ＡＳＩＣ：ａｐｐｌｉｃａｔｉｏｎ  ｓｐｅｃｉｆｉｃ  ｉｎｔｅｇｒａｔｅｄ  ｃｉｒｃｕｉｔ）、デジタル信号プロセッサ（ＤＳＰ：ｄｉｇｉｔａｌ  ｓｉｇｎａｌ  ｐｒｏｃｅｓｓｏｒ）、デジタル信号処理デバイス（ＤＳＰＤ：ｄｉｇｉｔａｌ  ｓｉｇｎａｌ  ｐｒｏｃｅｓｓｉｎｇ  ｄｅｖｉｃｅ）、プログラム可能な論理デバイス（ＰＬＤ：ｐｒｏｇｒａｍｍａｂｌｅ  ｌｏｇｉｃ  ｄｅｖｉｃｅ）、現場でプログラム可能なゲートアレイ（ＦＰＧＡ：ｆｉｅｌｄ  ｐｒｏｇｒａｍｍａｂｌｅ  ｇａｔｅ  ａｒｒａｙ）、コントローラ、マイクロコントローラ、マイクロプロセッサ、または他の電子部品で実現され得る。
【０１３４】
例示的な実施形態では、上述の方法を実行するための、デバイス４００のプロセッサ４２０によって実行可能な命令を有するメモリ４０４などの、命令を有する非一時的コンピュータ可読記憶媒体も提供する。非一時的コンピュータ可読記憶媒体は、たとえば、ＲＯＭ、ＲＡＭ、ＣＤ−ＲＯＭ、磁気テープ、フロッピ・ディスク、光学データ記憶デバイスなどであってもよい。
【０１３５】
非一時的コンピュータ可読記憶媒体内の命令が、携帯端末のプロセッサで実行されると、携帯端末は、図１Ｂおよび図２Ａに示す実施形態で提供する方法を実行することができる。本開示の他の実施形態は、本明細書の考察および本開示の実践から、当業者には明らかであろう。本出願は、本開示の一般的な原理に従い、本明細書に開示されていない一般的な知識または一般的に使用される技術的手段を含む、本開示のどんな変形形態、使用法、または適合形態も包含することを意図している。本明細書および実施形態は、例示としてのみ考慮されるべきであり、本開示の真の範囲および精神は、添付の請求の範囲によって示す。
【０１３６】
本開示は、上記で説明し、添付の図面に示してきた正確な構造に限定されるものではなく、その範囲から逸脱することなく、様々な修正および変更を行うことができることが理解されよう。本開示の範囲は、添付の請求の範囲でしか制限されないことを意図している。
【図１Ａ】
2020529174.tif 000003
【図１Ｂ】
2020529174.tif 000004
【図２Ａ】
2020529174.tif 000005
【図２Ｂ】
2020529174.tif 000006
【図３Ａ】
2020529174.tif 000007
【図３Ｂ】
2020529174.tif 000008
【図４】
2020529174.tif 000009
【手続補正書】
【提出日】令和2年2月25日(2020.2.25)
【手続補正１】
【補正対象書類名】明細書
【補正対象項目名】全文
【補正方法】変更
【補正の内容】
【発明の詳細な説明】
【技術分野】
【０００１】
本開示は通信技術分野に関し、詳細には、データ送信方法、デバイス、およびコンピュータ可読記憶媒体に関する。
【背景技術】
【０００２】
現在の通信システムは、通常、複数のサービス・タイプをサポートする必要がある。しかし、相異なるサービス・タイプには、無線通信技術に関する相異なる要件がある。たとえば、拡張モバイル・ブロードバンド（ｅＭＢＢ：ｅｎｈａｎｃｅｄ  ｍｏｂｉｌｅ  ｂｒｏａｄｂａｎｄ）サービス・タイプは、主に広帯域、高速などに焦点を当てており、超高信頼低遅延通信（ＵＲＬＬＣ：ｕｌｔｒａ−ｒｅｌｉａｂｌｅ  ｌｏｗ  ｌａｔｅｎｃｙ  ｃｏｍｍｕｎｉｃａｔｉｏｎ）サービス・タイプは、主に比較的高信頼性および低遅延に焦点を当てており、大量マシン・タイプ通信（ｍＭＴＣ：ｍａｓｓｉｖｅ  ｍａｃｈｉｎｅ  ｔｙｐｅ  ｃｏｍｍｕｎｉｃａｔｉｏｎ）サービス・タイプは、主に大量の接続数に焦点を当てている。したがって、ユーザのサービス要求および様々なサービスの様々な性能要件を満たすため、通信システムは、複数のサービス・タイプを送信する場合、複数のサービス・タイプの効率的な送信をサポートするための、柔軟で構成変更可能な設計を有する必要がある。
【０００３】
関連技術分野において、複数のサービス・タイプの柔軟な構成をサポートするために、端末は、同じヌメロロジ（エア・インタフェース送信の基本構成パラメータと理解することができる）を使用する複数のキャリアで構成され得る。たとえば、直交周波数分割多重化（ＯＦＤＭ：ｏｒｔｈｏｇｏｎａｌ  ｆｒｅｑｕｅｎｃｙ  ｄｉｖｉｓｉｏｎ  ｍｕｌｔｉｐｌｅｘｉｎｇ）に基づく設計では、複数のキャリアで使用されるサブキャリア間隔、シンボル長、巡回プレフィックス（ＣＰ：ｃｙｃｌｉｃ  ｐｒｅｆｉｘ）長などは同じである。技術が進化するにつれて、さらに、複数の帯域幅部分を１つのキャリアで構成することができ、ここで帯域幅部分とは、キャリアの周波数ドメインでのリソースを指す。データが送信されるとき、キャリアまたはキャリアの帯域幅部分がスケジューリングされ得る。次いで、対応するヌメロロジに基づいてデータが送信される。
【発明の概要】
【課題を解決するための手段】
【０００４】
関連技術分野で既存の問題を克服するために、本開示は、データ送信方法、デバイス、およびコンピュータ可読記憶媒体を提供する。
【０００５】
第１の態様では、
基地局によってターゲット帯域幅部分で送信されたスケジューリング信号を受信するステップであって、ここでスケジューリング信号は、周波数ドメインのリソース指示情報およびパラメータ指示情報を搬送し、ターゲット帯域幅部分は、複数の構成された帯域幅部分の中で、スケジューリング信号を送信できる帯域幅部分である、ステップと、
周波数ドメインのリソース指示情報および予め格納された構成情報に基づいて、ターゲット帯域幅部分が予定帯域幅部分ではないと判断された場合、周波数ドメインのリソース指示情報および構成情報に基づいて、複数の帯域幅部分から予定帯域幅部分を決定するステップと、
パラメータ指示情報に関連付けられた構成パラメータに従って、予定帯域幅部分を介してデータを送信するステップと
を含む、データ送信方法が提供される。
【０００６】
任意選択で、パラメータ指示情報は、構成パラメータまたは構成パラメータを示すスクランブル・シーケンスである。
【０００７】
任意選択で、パラメータ指示情報に関連付けられた構成パラメータに従って、予定帯域幅部分を介してデータを送信するステップは、
パラメータ指示情報がスクランブル・シーケンスである場合、スクランブル・シーケンスとスクランブル・シーケンスに基づく構成パラメータとの間の予め格納された対応関係から、対応する構成パラメータを取得するステップと、
取得した構成パラメータに従って、予定帯域幅部分を介してデータを送信するステップと
を含む。
【０００８】
任意選択で、周波数ドメインのリソース指示情報は、周波数ドメイン送信ユニットの指示情報を含み、周波数ドメイン送信ユニットは、１つまたは複数の物理リソース・ブロック（ＰＲＢ：ｐｈｙｓｉｃａｌ  ｒｅｓｏｕｒｃｅ  ｂｌｏｃｋ）を含む。
【０００９】
任意選択で、スケジューリング信号は、ダウンリンク制御情報（ＤＣＩ：ｄｏｗｎｌｉｎｋ  ｃｏｎｔｒｏｌ  ｉｎｆｏｒｍａｔｉｏｎ）を使って送信され、ＤＣＩは、周波数ドメイン送信ユニットの指示情報を格納するための第１の情報フィールドを含む。また、パラメータ指示情報が構成パラメータである場合、ＤＣＩは、構成パラメータを格納するための第２の情報フィールドをさらに含む。
【００１０】
任意選択で、第２の情報フィールドは、ＤＣＩ内の第１のプリセット位置にあり、第２の情報フィールドは、第１のプリセット長を有する。
【００１１】
任意選択で、スケジューリング信号は、ダウンリンク制御情報（ＤＣＩ）を使って送信され、ＤＣＩは、周波数ドメイン送信ユニットの指示情報を格納するための第１の情報フィールドを含む。また、パラメータ指示情報が構成パラメータを示すスクランブル・シーケンスである場合、スクランブル・シーケンスはスクランブルすることによってＤＣＩで搬送される。
【００１２】
任意選択で、周波数ドメインのリソース指示情報は、帯域幅番号指示情報をさらに含む。
【００１３】
任意選択で、スケジューリング信号は、ダウンリンク制御情報（ＤＣＩ）を使って送信され、ＤＣＩは、周波数ドメイン送信ユニットの指示情報を格納するための第１の情報フィールドと、帯域幅番号指示情報を格納するための第３の情報フィールドとを含む。また、パラメータ指示情報が構成パラメータである場合、ＤＣＩは、パラメータ指示情報を格納するための第２の情報フィールドをさらに含む。
【００１４】
任意選択で、第２の情報フィールドはＤＣＩ内の第１のプリセット位置にあり、第３の情報フィールドはＤＣＩ内の第２のプリセット位置にあり、第２の情報フィールドは第１のプリセット長を有し、第３の情報フィールドは第２のプリセット長を有する。
【００１５】
任意選択で、スケジューリング信号は、ダウンリンク制御情報（ＤＣＩ）を使って送信され、ＤＣＩは、周波数ドメイン送信ユニットの指示情報を格納するための第１の情報フィールド、および帯域幅番号指示情報を格納するための第３の情報フィールドを含み、パラメータ指示情報が構成パラメータを示すスクランブル・シーケンスである場合、スクランブル・シーケンスはスクランブルすることによってＤＣＩで搬送される。
【００１６】
任意選択で、方法は、基地局によって送信されたスケジューリング信号を受信するステップの前に、
基地局によって送信された構成情報を受信および格納するステップであって、構成情報は、複数の帯域幅部分の周波数ドメインの位置、サポートされる構成パラメータのセット、および含まれるＰＲＢの番号を含む、ステップ
をさらに含む。
【００１７】
任意選択で、構成情報は、複数の帯域幅部分の帯域幅番号をさらに含む。
【００１８】
任意選択で、方法は、基地局によって送信されたスケジューリング信号を受信するステップの前に、
基地局によって送信されたトリガ信号を受信するステップであって、ここでトリガ信号は、帯域幅部分を跨がる（ｃｒｏｓｓ−ｂａｎｄｗｉｄｔｈ  ｐａｒｔ）スケジューリングがトリガされたことを示すよう構成される、ステップ
をさらに含む。
【００１９】
第２の態様では、
基地局によってターゲット帯域幅部分で送信されたスケジューリング信号を受信するよう構成される第１の受信モジュールであって、ここでスケジューリング信号は、周波数ドメインのリソース指示情報およびパラメータ指示情報を搬送し、ターゲット帯域幅部分は、複数の構成された帯域幅部分の中で、スケジューリング信号を送信できる帯域幅部分である、第１の受信モジュールと、
周波数ドメインのリソース指示情報および予め格納された構成情報に基づいて、ターゲット帯域幅部分が予定帯域幅部分ではないと判断された場合、周波数ドメインのリソース指示情報および構成情報に基づいて、複数の帯域幅部分から予定帯域幅部分を決定するよう構成される決定モジュールと、
パラメータ指示情報に関連付けられた構成パラメータに従って、予定帯域幅部分を介してデータを送信するよう構成される送信モジュールと
を備えるデータ送信デバイスが提供される。
【００２０】
任意選択で、パラメータ指示情報は、構成パラメータまたは構成パラメータを示すスクランブル・シーケンスである。
【００２１】
任意選択で、送信モジュールは以下を備える。
【００２２】
パラメータ指示情報がスクランブル・シーケンスである場合、スクランブル・シーケンスとスクランブル・シーケンスに基づく構成パラメータとの間の予め格納された対応関係から、対応する構成パラメータを取得するよう構成される取得サブモジュールと、
取得した構成パラメータに従って、予定帯域幅部分を介してデータを送信するよう構成される送信サブモジュール。
【００２３】
任意選択で、周波数ドメインのリソース指示情報は、周波数ドメイン送信ユニットの指示情報を含み、周波数ドメイン送信ユニットは、１つまたは複数の物理リソース・ブロック（ＰＲＢ）を含む。
【００２４】
任意選択で、スケジューリング信号は、ダウンリンク制御情報（ＤＣＩ）を使って送信され、ＤＣＩは、周波数ドメイン送信ユニットの指示情報を格納するための第１の情報フィールドを含む。また、パラメータ指示情報が構成パラメータである場合、ＤＣＩは、構成パラメータを格納するための第２の情報フィールドをさらに含む。
【００２５】
任意選択で、第２の情報フィールドは、ＤＣＩ内の第１のプリセット位置にあり、第２の情報フィールドは、第１のプリセット長を有する。
【００２６】
任意選択で、スケジューリング信号は、ダウンリンク制御情報（ＤＣＩ）を使って送信され、ＤＣＩは、周波数ドメイン送信ユニットの指示情報を格納するための第１の情報フィールドを含む。また、パラメータ指示情報が構成パラメータを示すスクランブル・シーケンスである場合、スクランブル・シーケンスはスクランブルすることによってＤＣＩで搬送される。
【００２７】
任意選択で、周波数ドメインのリソース指示情報は、帯域幅番号指示情報をさらに含む。
【００２８】
任意選択で、スケジューリング信号は、ダウンリンク制御情報（ＤＣＩ）を使って送信され、ＤＣＩは、周波数ドメイン送信ユニットの指示情報を格納するための第１の情報フィールドと、帯域幅番号指示情報を格納するための第３の情報フィールドとを含む。また、パラメータ指示情報が構成パラメータである場合、ＤＣＩは、パラメータ指示情報を格納するための第２の情報フィールドをさらに含む。
【００２９】
任意選択で、第２の情報フィールドはＤＣＩ内の第１のプリセット位置にあり、第３の情報フィールドはＤＣＩ内の第２のプリセット位置にある。また、第２の情報フィールドは第１のプリセット長を有し、第３の情報フィールドは第２のプリセット長を有する。
【００３０】
任意選択で、スケジューリング信号は、ダウンリンク制御情報（ＤＣＩ）を使って送信され、ＤＣＩは、周波数ドメイン送信ユニットの指示情報を格納するための第１の情報フィールド、および帯域幅番号指示情報を格納するための第３の情報フィールドを含む。また、パラメータ指示情報が構成パラメータを示すスクランブル・シーケンスである場合、スクランブル・シーケンスはスクランブルすることによってＤＣＩで搬送される。
【００３１】
任意選択で、デバイスは以下をさらに備える。
【００３２】
基地局によって送信された構成情報を受信および格納するよう構成される第２の受信モジュールであって、ここで構成情報は、複数の帯域幅部分の周波数ドメインの位置、サポートされる構成パラメータのセット、および含まれるＰＲＢの番号を含む、第２の受信モジュール。
【００３３】
任意選択で、構成情報は、複数の帯域幅部分の帯域幅番号をさらに含む。
【００３４】
任意選択で、デバイスは、
基地局によって送信されたトリガ信号を受信するよう構成される第３の受信モジュールであって、ここでトリガ信号は、帯域幅部分を跨がるスケジューリングがトリガされたことを示すよう構成される、第３の受信モジュール
をさらに備える。
【００３５】
第３の態様では、
プロセッサと、
プロセッサで実行可能な命令を格納するメモリと
を備えるデータ送信デバイスであって、プロセッサは、第１の態様による方法のいずれかのステップを実行するよう構成される、データ送信デバイスが提供される。
【００３６】
第４の態様では、プロセッサによって実行されているとき、第１の態様による方法のいずれかのステップを実施する、命令を格納したコンピュータ可読記憶媒体を備える、データ送信デバイスを提供する。
【００３７】
本開示の実施形態で提供する技術的解決策は、以下の有益な効果を含み得る。
【００３８】
本開示の実施形態では、複数のサービス・タイプの多重化を実現させるために、端末は、データ送信のための帯域幅部分を跨がるスケジューリングを柔軟にサポートする必要がある。実際の実施態様では、複数の帯域幅部分の中で、一部の帯域幅部分は制御情報を送信でき、他は制御情報を送信できないので、端末は、基地局によってターゲット帯域幅部分で送信されたスケジューリング信号を受信し、ここでスケジューリング信号は、周波数ドメインのリソース指示情報およびパラメータ指示情報を搬送し、そして端末は、周波数ドメインのリソース指示情報および予め格納された構成情報に基づいて、ターゲット帯域幅部分が予定帯域幅部分であるかどうかを判断する。ターゲット帯域幅部分が予定帯域幅部分ではない場合、端末は、周波数ドメインのリソース指示情報および構成情報に基づいて、複数の帯域幅部分から予定帯域幅部分を決定する必要があり、次いで、パラメータ指示情報に関連付けられた構成パラメータに基づいて、予定帯域幅部分を介してデータを送信する。したがって、他の帯域幅部分は、ターゲット帯域幅部分で送信されるスケジューリング信号によってスケジューリングされ、それによって帯域幅部分を跨がるスケジューリングが実現される。
【００３９】
前述の一般的な説明および以下の詳細な説明の両方は、例示的かつ説明的なものにすぎず、本開示を限定するのを意図するものではないことを理解されたい。
【００４０】
本明細書に組み入れられ、本開示の一部を成す添付図面は、本開示と一貫する実施形態を示し、説明と共に本開示の原理を説明するように働く。
【図面の簡単な説明】
【００４１】
【図１Ａ】１つの例示的な実施形態に従って提供するシステム・アーキテクチャの図である。
【図１Ｂ】１つの例示的な実施形態に従って示す、データ送信方法の流れ図である。
【図２Ａ】別の例示的な実施形態に従って示す、データ送信方法の流れ図である。
【図２Ｂ】図２Ａの実施形態に関連する、端末上に構成される４つの帯域幅部分の概略図である。
【図３Ａ】１つの例示的な実施形態に従って示す、データ送信デバイスの構成図である。
【図３Ｂ】別の例示的な実施形態に従って示す、データ送信デバイスの構成図である。
【図４】別の例示的な実施形態に従って示す、データ送信デバイスの構成図である。
【発明を実施するための形態】
【００４２】
ここで、例示的な実施形態を詳細に参照して、その例を添付図面に示すこととする。以下の説明は添付図面を参照しており、図面では、相異なる図面の同じ番号は、特に示さない限り、同じまたは類似の要素を表す。例示的な実施形態の以下の説明で示す実施態様は、本開示と一貫するすべての実施態様を表すものではない。そうではなくて、それらは、添付の請求の範囲に列挙されている本開示に関連する態様と一貫するデバイスおよび方法の例にすぎない。
【００４３】
本開示の実施形態を詳細に説明する前に、本開示の実施形態に関連する用語（ｎｏｕｎ）、適用例のシナリオ、およびシステム・アーキテクチャについて最初に簡単に紹介する。
【００４４】
最初に、本開示の実施形態に関連する用語について簡単に説明する。
【００４５】
パラメータ指示情報は、本開示の実施形態で定義され、基地局が端末に送信するスケジューリング信号で搬送される指示情報であり、構成パラメータまたは構成パラメータを示すスクランブル・シーケンスであり得る。構成パラメータおよびスクランブル・シーケンスの両方とも、帯域幅部分の構成パラメータを決定するためのものである。構成パラメータは、ヌメロロジである。
【００４６】
帯域幅部分は、キャリア上の周波数ドメインのリソースであり、ここで１つのキャリアは、複数の相異なる周波数ドメインのリソース、つまり複数の相異なる帯域幅部分を含む。
【００４７】
第２に、本開示の実施形態に関連する適用例のシナリオを簡単に紹介する。
【００４８】
現在、拡張現実（ＡＲ：ａｕｇｍｅｎｔｅｄ  ｒｅａｌｉｔｙ）／仮想現実（ＶＲ：ｖｉｒｔｕａｌ  ｒｅａｌｉｔｙ）などの新しいインターネット応用例が次々と登場するにつれて、無線通信技術は急速に開発され、応用例の需要を満たすように進化している。実際上の適用例のシナリオにおいて、相異なるサービス・タイプには、無線通信技術に関して相異なる需要がある。新世代の通信技術の重要な特性の１つは、複数のサービス・タイプの柔軟な構成をサポートすることである。関連技術分野では、端末が複数のキャリアで構成されるか、または１つのキャリアが複数の帯域幅部分で構成される場合、相異なるキャリアまたは帯域幅部分は、同じ構成パラメータを使用する。しかし、通信量およびサービス要件が増加すると、データ送信のために相異なるキャリアまたは帯域幅部分で相異なる構成パラメータを使用する必要が生じることが多い。したがって、データ送信のために、相異なるキャリアまたは帯域幅部分に相異なる構成パラメータが使用される場合、データを送信する端末が、いかに柔軟にキャリアを跨がる、または帯域幅部分を跨がるスケジューリングをサポートするかが、研究での論点となる。このために、本開示の実施形態はデータ送信方法を提供する。このデータ送信方法は、端末による帯域幅部分を跨がるスケジューリングを柔軟にサポートする方法に関する課題を解決する。データ送信方法の具体的な実施態様については、図１Ｂおよび図２Ａに示す実施形態を参照されたい。
【００４９】
最後に、本開示の実施形態に関連するシステム・アーキテクチャを簡単に紹介する。
【００５０】
図１Ａは、１つの例示的な実施形態に従って提供するシステム・アーキテクチャの図である。図１Ａに示すように、システム・アーキテクチャは、主に端末１１０および基地局１２０を含む。端末１１０は、無線通信ネットワークを通じて基地局１２０にアクセスすることができる。
【００５１】
基地局１２０は、主に構成情報、トリガ信号、およびスケジューリング信号を端末１１０へ送信するよう構成される。構成情報には、複数の帯域幅部分の周波数ドメインの位置、サポートされる構成パラメータのセット、および含まれるＰＲＢの番号が含まれる。トリガ信号は、帯域幅部分を跨がるスケジューリングがトリガされたことを示すように構成される。スケジューリング信号は、帯域幅部分を跨がるスケジューリングを実行するよう端末１１０に通知するように構成される。
【００５２】
端末１１０は、主に、本開示の実施形態で提供する、データ送信方法を実施するように構成される。すなわち、端末１１０は、基地局１２０によって送信された構成情報を受信および格納するよう構成される。ここでは、一例として、基地局１２０が端末１１０に送信する構成情報を示している。別の実施形態では、構成情報も予め定義することができ、これは本開示の実施形態に限定されない。加えて、端末１１０はさらに、帯域幅部分を跨がるスケジューリングをトリガするために、基地局１２０によって送信されたトリガ信号を受信するよう構成される。
【００５３】
さらに、端末１１０は、基地局１２０によって送信されたスケジューリング信号を受信すると、スケジューリング信号で搬送される周波数ドメインのリソース指示情報および予め格納された構成情報に従って、ターゲット帯域幅部分が予定帯域幅部分ではないと判断した後に、基地局１２０によって示される予定帯域幅部分を、複数の帯域幅部分から決定する。さらに、端末１１０は、スケジューリング信号で搬送されるパラメータ指示情報に関連付けられた構成パラメータに基づいて、予定帯域幅部分を介してデータを送信する。端末の具体的な実施態様の過程については、図１Ｂおよび図２Ａに示す実施形態を参照されたい。
【００５４】
実際に実施する際に、端末１１０は、無線通信を実行することができるどんなデバイスであってもよいことに留意されたい。端末１１０は、たとえば、本開示の実施形態において限定されない携帯電話などであってもよい。
【００５５】
本開示の実施形態に関連する用語、適用例のシナリオ、およびシステム・アーキテクチャを紹介した後、本開示の実施形態を以下で詳細に説明する。
【００５６】
図１Ｂは、１つの例示的な実施形態に従って示す、データ送信方法の流れ図である。図１Ｂに示すように、この方法は端末に適用され、以下のステップを含む。
【００５７】
ステップ１０１で、基地局によってターゲット帯域幅部分で送信されたスケジューリング信号が受信され、ここでスケジューリング信号は、周波数ドメインのリソース指示情報およびパラメータ指示情報を搬送し、ターゲット帯域幅部分は、複数の構成された帯域幅部分の中で、スケジューリング信号を送信できる帯域幅部分である。
【００５８】
ステップ１０２で、周波数ドメインのリソース指示情報および予め格納された構成情報に基づいて、ターゲット帯域幅部分が予定帯域幅部分ではないと判断すると、予定帯域幅部分は、周波数ドメインのリソース指示情報および構成情報に基づいて、複数の帯域幅部分から決定される。
【００５９】
ステップ１０３で、パラメータ指示情報に関連付けられた構成パラメータに従って、予定帯域幅部分を介してデータが送信される。
【００６０】
本開示の実施形態では、複数のサービス・タイプの多重化を実現させるために、端末は、データ送信のための帯域幅部分を跨がるスケジューリングを柔軟にサポートする必要がある。実際の実施態様では、複数の帯域幅部分の中で、一部の帯域幅部分は制御情報を送信でき、他は制御情報を送信できないので、端末は、基地局によってターゲット帯域幅部分で送信されたスケジューリング信号を受信し、ここでスケジューリング信号は、周波数ドメインのリソース指示情報およびパラメータ指示情報を搬送し、そして端末は、周波数ドメインのリソース指示情報および予め格納された構成情報に基づいて、ターゲット帯域幅部分が予定帯域幅部分であるかどうかを判断する。ターゲット帯域幅部分が予定帯域幅部分ではない場合、端末は、周波数ドメインのリソース指示情報および構成情報に基づいて、複数の帯域幅部分から予定帯域幅部分を決定する必要があり、次いで、パラメータ指示情報に関連付けられた構成パラメータに基づいて、予定帯域幅部分を介してデータを送信する。したがって、他の帯域幅部分は、ターゲット帯域幅部分で送信されるスケジューリング信号によってスケジューリングされ、それによって帯域幅部分を跨がるスケジューリングが実現される。
【００６１】
任意選択で、パラメータ指示情報は、構成パラメータまたは構成パラメータを示すスクランブル・シーケンスである。
【００６２】
任意選択で、パラメータ指示情報に関連付けられた構成パラメータに従って、予定帯域幅部分を介してデータが送信されるステップは、以下を含む。
【００６３】
パラメータ指示情報がスクランブル・シーケンスである場合、スクランブル・シーケンスとスクランブル・シーケンスに基づく構成パラメータとの間の予め格納された対応関係から、対応する構成パラメータが取得されるステップと、
取得した構成パラメータに従って、予定帯域幅部分を介してデータが送信されるステップ。
【００６４】
任意選択で、周波数ドメインのリソース指示情報は、周波数ドメイン送信ユニットの指示情報を含み、周波数ドメイン送信ユニットは、１つまたは複数のＰＲＢを含む。
【００６５】
任意選択で、スケジューリング信号はＤＣＩを使って送信される。ＤＣＩは、周波数ドメイン送信ユニットの指示情報を格納するための、第１の情報フィールドを含む。パラメータ指示情報が構成パラメータである場合、ＤＣＩは、構成パラメータを格納するための第２の情報フィールドをさらに含む。
【００６６】
任意選択で、第２の情報フィールドは、ＤＣＩ内の第１のプリセット位置にあり、第２の情報フィールドは、第１のプリセット長を有する。
【００６７】
任意選択で、スケジューリング信号はＤＣＩを使って送信される。ＤＣＩは、周波数ドメイン送信ユニットの指示情報を格納するための、第１の情報フィールドを含む。パラメータ指示情報が構成パラメータを示すスクランブル・シーケンスである場合、スクランブル・シーケンスは、ＤＣＩでスクランブルすることによって搬送される。
【００６８】
任意選択で、周波数ドメインのリソース指示情報は、帯域幅番号指示情報をさらに含む。
【００６９】
任意選択で、スケジューリング信号はダウンリンク制御情報（ＤＣＩ）を使って送信される。ＤＣＩは、周波数ドメイン送信ユニットの指示情報を格納するための第１の情報フィールド、および帯域幅番号指示情報を格納するための第３の情報フィールドを含む。パラメータ指示情報が構成パラメータである場合、ＤＣＩは、パラメータ指示情報を格納するための第２の情報フィールドをさらに含む。
【００７０】
任意選択で、第２の情報フィールドは、ＤＣＩ内の第１のプリセット位置にあり、第３の情報フィールドは、ＤＣＩ内の第２のプリセット位置にある。第２の情報フィールドは、第１のプリセット長を有し、第３の情報フィールドは、第２のプリセット長を有する。
【００７１】
任意選択で、スケジューリング信号はダウンリンク制御情報（ＤＣＩ）を使って送信される。ＤＣＩは、周波数ドメイン送信ユニットの指示情報を格納するための第１の情報フィールド、および帯域幅番号指示情報を格納するための第３の情報フィールドを含む。パラメータ指示情報が構成パラメータを示すスクランブル・シーケンスである場合、スクランブル・シーケンスは、ＤＣＩでスクランブルすることによって搬送される。
【００７２】
任意選択で、方法は、基地局によって送信されたスケジューリング信号が受信されるステップの前に、以下のステップをさらに含む。
【００７３】
基地局によって送信された構成情報を受信および格納するステップであって、ここで構成情報は、複数の帯域幅部分の周波数ドメインの位置、サポートされる構成パラメータのセット、および含まれるＰＲＢの番号を含む、ステップ。
【００７４】
任意選択で、構成情報は、複数の帯域幅部分の帯域幅番号をさらに含む。
【００７５】
任意選択で、方法は、基地局によって送信されたスケジューリング信号が受信されるステップの前に、以下のステップをさらに含む：
基地局によって送信されたトリガ信号を受信するステップであって、ここでトリガ信号は、帯域幅部分を跨がるスケジューリングがトリガされたことを示すよう構成される、ステップ。
【００７６】
上記の任意選択の技術解決策はすべて、任意に組み合わせたやり方で本開示の任意選択の実施形態を形成することができ、本明細書でこれ以上の説明はしない。
【００７７】
図２Ａは、１つの例示的な実施形態に従って示す、データ送信方法の流れ図である。図２Ａに示すように、このデータ送信方法は、図１Ａに示すシステム・アーキテクチャに適用することができ、以下のいくつかの実施態様のステップを含み得る。
【００７８】
ステップ２０１では、基地局によって送信された構成情報が受信および格納され、ここで、構成情報は、複数の帯域幅部分の周波数ドメインの位置、サポートされる構成パラメータのセット、および含まれるＰＲＢの番号を含む。
【００７９】
本開示の実施形態を実施する前に、基地局は、構成情報を端末に送信することができる。それに対応して、端末は、構成情報を受信した後に、続いて構成情報に基づいて帯域幅部分のスケジューリングができるように、構成情報を局所的に格納することができる。詳細については、以下のステップを参照されたい。
【００８０】
構成情報は、システム情報、高いレイヤでの信号送信、または物理層での信号送信によって、基地局から端末に送信され得ることに留意されたい。高いレイヤでの信号送信には、無線リソース制御（ＲＲＣ：ｒａｄｉｏ  ｒｅｓｏｕｒｃｅ  ｃｏｎｔｒｏｌ）での信号送信、メディア・アクセス制御（ＭＡＣ：ｍｅｄｉａ  ａｃｃｅｓｓ  ｃｏｎｔｒｏｌ）での信号送信などが含まれ得る。もちろん、実際の適用例では、構成情報は、他のモードでも送信することができる。
【００８１】
構成情報は、複数の帯域幅部分の周波数ドメインの位置、サポートされる構成パラメータのセット、および含まれるＰＲＢの番号を含むことができ、キャリア上で複数の帯域幅部分を設定するよう構成されるので、端末は、構成情報を受信すると、構成情報を格納することができる。この時点で、複数の帯域幅部分が構成されたと見なされ得る。
【００８２】
複数の帯域幅部分が、同じキャリア上の帯域幅部分であり得ることに留意されたい。もちろん、複数の帯域幅部分は、相異なるキャリア上の帯域幅部分である場合がある。つまり、その後のスケジューリングの際に、同じキャリアの帯域幅部分を使って、または相異なるキャリアの帯域幅部分を使って、帯域幅部分を跨がるスケジューリングが実行され得る。加えて、複数の帯域幅部分は、周波数ドメインで連続的または不連続的であってもよい。
【００８３】
複数の帯域幅部分のＰＲＢは、連続的に番号を付けることができる。つまり、複数の帯域幅部分のＰＲＢの番号は重複しない。たとえば、帯域幅部分１には３つのＰＲＢが含まれ、それぞれ１、２、および３の番号が付される。帯域幅部分２には２つのＰＲＢが含まれ、それぞれ４および５の番号が付される。帯域幅部分３には２つのＰＲＢが含まれ、それぞれ６および７の番号が付される。そして帯域幅部分４には３つのＰＲＢが含まれ、それぞれ８、９、および１０の番号が付される。この場合、端末は、ＰＲＢの番号を使って相異なる帯域幅部分を明確に区別し、それによって帯域幅を跨るスケジューリングを実施することができる。ただし、実際の適用例では、複数の帯域幅部分のＰＲＢが連続的に番号を付されていない場合がある。このとき、場合によっては、複数の帯域幅部分のＰＲＢが同じ番号を付されている。たとえば、帯域幅部分１には３つのＰＲＢが含まれ、それぞれ１、２、および３の番号が付される。帯域幅部分２には２つのＰＲＢが含まれ、それぞれ１および２の番号が付される。帯域幅部分３には２つのＰＲＢが含まれ、それぞれ１および３の番号が付される。そして帯域幅部分４には３つのＰＲＢが含まれ、それぞれ１、３、および４の番号が付される。このとき、端末は、ＰＲＢの番号を使って相異なる帯域幅部分を区別することができない。したがってこの場合、基地局から端末に送信される構成情報には、複数の帯域幅部分の帯域幅番号がさらに含まれ得る。その結果、端末は、ＰＲＢの番号および帯域幅番号に基づいて、相異なる帯域幅部分を区別することができる。
【００８４】
実際の適用例では、基地局によって送信される構成情報は、複数の帯域幅部分のスケジューリング指示情報をさらに含む場合があり、ここでスケジューリング指示情報は、複数の帯域幅部分の中で、どの帯域幅部分が制御情報を送信するよう機能し、どの帯域幅部分が制御情報を送信できないかを示すよう構成される。したがって、制御情報を送信するよう機能し得る帯域幅部分については、こうした帯域幅部分で制御情報を送信することができ、またこうした帯域幅部分を、データを送信するためにスケジューリングすることもできる。制御情報を送信できない帯域幅部分については、こうした帯域幅部分は、データを送信するために制御情報を送信するよう機能し得る、他の帯域幅部分で受信されたスケジューリング信号だけを使ってスケジューリングされ得る。この現象は、帯域幅部分を跨がるスケジューリングと呼ばれる。
【００８５】
たとえば、図２Ｂに示すように、それぞれ帯域幅部分１、帯域幅部分２、帯域幅部分３、および帯域幅部分４である、４つの帯域幅部分が１つのキャリア上に構成される。構成情報のスケジューリング指示情報を使って、帯域幅部分１および帯域幅部分３は制御情報を送信するよう機能することができ、帯域幅部分２および帯域幅部分４は制御情報を送信できないと判断されるかもしれない。したがって、帯域幅部分２および帯域幅部分４は、データを送信するために、帯域幅部分１または帯域幅部分３で送信される制御情報を使ってスケジューリングされ得る。
【００８６】
本開示の実施形態では、基地局によって端末に送信される構成情報は、例として示しているにすぎないことに留意されたい。実際上の実施態様では、構成情報は予め定義することができ、これは本開示の実施形態に限定されない。
【００８７】
上記のステップ２０１によって複数の帯域幅部分が構成された後、帯域幅部分がスケジューリングされるとき、以下のステップ２０２によって帯域幅部分を跨がるスケジューリングがトリガされ得る。
【００８８】
ステップ２０２では、基地局によって送信されたトリガ信号が受信され、ここでトリガ信号は、帯域幅部分を跨がるスケジューリングがトリガされたことを示すよう構成される。
【００８９】
実際の適用例では、サービス量が増大する場合など、端末が帯域幅を跨がるスケジューリングを実行する必要がある、多くの場合がある。つまり、様々な場合で、端末が帯域幅を跨がるスケジューリングを実行するタイミングは異なる。したがって、帯域幅部分を跨がるスケジューリングが必要な場合、端末に帯域幅部分を跨がるスケジューリングを実行するよう通知するために、基地局は端末にトリガ信号を送信することができる。つまり、トリガ信号は、帯域幅部分を跨がるスケジューリングがトリガされたことを示すよう構成される。
【００９０】
トリガ信号は、ＲＲＣでの信号送信、システム情報、ＭＡＣでの信号送信、または物理層での信号送信によって送信できることに留意されたい。
【００９１】
加えて、上記のステップ２０２は、本開示の実施形態を実施するのに必ずしも必要なステップではない。すなわち、本開示の実施形態では、複数の帯域幅部分が構成された後、帯域幅部分を跨がるスケジューリングが直接トリガされ得る。このとき、帯域幅部分を跨がるスケジューリングは、上記のステップ２０２なしに実行することができる。
【００９２】
ステップ２０３で、基地局によってターゲット帯域幅部分で送信されたスケジューリング信号が受信され、ここでスケジューリング信号は、周波数ドメインのリソース指示情報およびパラメータ指示情報を搬送し、ターゲット帯域幅部分は、複数の構成された帯域幅部分の中で、スケジューリング信号を送信できる帯域幅部分である。
【００９３】
上記のように、端末と基地局との両方が、構成情報に基づいて、複数の帯域幅部分の周波数ドメインの位置、サポートされる構成パラメータのセット、および含まれるＰＲＢの番号を正確に取得することができる。基地局は、帯域幅部分をスケジューリングする必要がある場合、複数の帯域幅部分から、制御情報を送信できるターゲット帯域幅部分を決定することができる。このとき、スケジューリング信号は、ターゲット帯域幅部分で送信され得る。
【００９４】
周波数ドメインのリソース指示情報は、周波数ドメイン送信ユニットの指示情報を含むことに留意されたい。周波数ドメイン送信ユニットは、周波数ドメインで情報を送信するための基本単位であり、１つまたは複数のＰＲＢを含む。周波数ドメイン送信ユニットの指示情報は、１つまたは複数のＰＲＢの番号を示すよう構成され得る。さらに、複数の帯域幅部分のＰＲＢが同じ番号を有する場合、周波数ドメインのリソース指示情報は、予定帯域幅部分の帯域幅番号を示すために、帯域幅番号指示情報をさらに含むことができる。加えて、パラメータ指示情報は、予定帯域幅部分がデータを送信するときに使用される構成パラメータを示すよう構成される。任意選択で、パラメータ指示情報は、構成パラメータまたは構成パラメータを示すスクランブル・シーケンスであってもよい。
【００９５】
加えて、スケジューリング信号はダウンリンク制御情報（ＤＣＩ）を使って送信される。周波数ドメインのリソース指示情報が周波数ドメイン送信ユニットの指示情報を含む場合、ＤＣＩが周波数ドメイン送信ユニットの指示情報を格納するための１つの情報フィールドを元々有しているので、つまり、ＤＣＩ内の第１の情報フィールドは、周波数ドメイン送信ユニットの指示情報を格納するよう構成される。このとき、ＤＣＩでパラメータ指示情報を搬送するために、パラメータ指示情報が構成パラメータである場合、１つの情報フィールド、つまり第２の情報フィールドがＤＣＩ内で定義され、第２の情報フィールドは、構成パラメータを格納するよう構成される。または、パラメータ指示情報が構成パラメータを示すスクランブル・シーケンスである場合、スクランブル・シーケンスは、ＤＣＩでスクランブルすることによって搬送される。つまり、スクランブル・シーケンスは、ＤＣＩでスクランブルすることができ、それによって構成パラメータを示す。
【００９６】
さらに、周波数ドメインのリソース指示情報が、上記の情報フィールドに加えて、周波数ドメイン送信ユニットの指示情報および帯域幅番号指示情報を含む場合、１つの情報フィールド、すなわち第３の情報フィールドをＤＣＩ内で定義することができ、第３の情報フィールドは、帯域幅番号指示情報を格納するよう構成される。
【００９７】
第２の情報フィールドは、ＤＣＩ内の第１のプリセット位置にあり、第２の情報フィールドは、第１のプリセット長を有する。第３の情報フィールドは、ＤＣＩ内の第２のプリセット位置にあり、第３の情報フィールドは、第２のプリセット長を有する。
【００９８】
第２の情報フィールド長および第３の情報フィールド長は、固定ビット長に設定してもよいことに留意されたい。もちろん、実際の適用例では、第２の情報フィールド長および第３の情報フィールド長は、実際の状況に応じて設定してもよい。特定の第２の情報フィールド長および第３の情報フィールド長は、端末上に構成された帯域幅部分の帯域幅番号およびサポートされる構成パラメータの番号に関連する。たとえば、端末が４種類の構成パラメータをサポートしている場合、ＤＣＩ内にパラメータ指示情報を格納するための第２の情報フィールドは、「００」、「０１」、「１０」、または「１１」などの、２ビットの長さを有することができる。
【００９９】
ステップ２０４で、周波数ドメインのリソース指示情報および予め格納された構成情報に基づいて、ターゲット帯域幅部分が予定帯域幅部分ではないと判断すると、予定帯域幅部分は、周波数ドメインのリソース指示情報および構成情報に基づいて、複数の帯域幅部分から決定される。
【０１００】
前述の説明から、基地局によってターゲット帯域幅部分で送信されるスケジューリング信号は、データ送信のために、ターゲット帯域幅部分をスケジューリングすることを目的とし得ることがわかる。もちろん、データ送信のために、ターゲット帯域幅部分で他の帯域幅部分をスケジューリングすることも目的とすることができる。したがって、基地局によってターゲット帯域幅部分で送信されたスケジューリング信号を受信すると、スケジューリング信号の周波数ドメインのリソース指示情報および予め格納された構成情報に基づいて、ターゲット帯域幅部分が予定帯域幅部分であるかどうかを判断することができる。ターゲット帯域幅部分が予定帯域幅部分ではない場合、予定帯域幅部分は、周波数ドメインのリソース指示情報および構成情報に基づいて、複数の帯域幅部分から決定される。たとえば図２Ｂに示すように、１つのキャリアは、４つの帯域幅部分で構成される。端末は、周波数ドメインのリソース指示情報および予め格納された構成情報に基づいて、これら４つの帯域幅部分から予定帯域幅部分を決定することができる。
【０１０１】
複数の帯域幅部分のＰＲＢの番号は重複しない場合、構成情報には、複数の帯域幅部分の周波数ドメインの位置、サポートされる構成パラメータのセット、および含まれるＰＲＢの番号が含まれるので、周波数ドメインのリソース指示情報が示すＰＲＢの番号が、ターゲット帯域幅部分のＰＲＢの番号と比較され得る。そしてＰＲＢの番号が同じ場合、ターゲット帯域幅部分は予定帯域幅部分であると判断され、ＰＲＢの番号が相異なる場合、ターゲット帯域幅部分は予定帯域幅部分ではないと判断される。ターゲット帯域幅部分が予定帯域幅部分ではない場合、構成情報に従って、周波数ドメインのリソース指示情報で示されるＰＲＢの番号と同じＰＲＢの番号の帯域幅部分が、複数の帯域幅部分から選択され、選択された帯域幅部分が、予定帯域幅部分として決定される。
【０１０２】
同じ理由によって、複数の帯域幅部分のＰＲＢが、もしかして同じ番号を有している場合、構成情報には、複数の帯域幅部分の周波数ドメインの位置、サポートされる構成パラメータのセット、含まれるＰＲＢの番号、および帯域幅番号が含まれるので、周波数ドメインのリソース指示情報が示すＰＲＢの番号、および帯域幅番号指示情報が示す帯域幅番号が、ターゲット帯域幅部分のＰＲＢの番号および帯域幅番号とそれぞれ比較され得る。そしてＰＲＢの番号および帯域幅番号がそれぞれ同じ場合、ターゲット帯域幅部分は予定帯域幅部分であると判断され、異なる場合、ターゲット帯域幅部分は予定帯域幅部分ではないと判断される。ターゲット帯域幅部分が予定帯域幅部分ではない場合、構成情報に従って、周波数ドメインのリソース指示情報が示すＰＲＢの番号、および帯域幅番号指示情報が示す帯域幅番号と、それぞれ同じＰＲＢの番号および帯域幅番号の帯域幅部分が、複数の帯域幅部分から選択され、選択された帯域幅部分が、予定帯域幅部分として決定される。
【０１０３】
ステップ２０５で、パラメータ指示情報に関連付けられた構成パラメータに従って、予定帯域幅部分を介してデータが送信される。
【０１０４】
前述の説明に基づいて、構成情報には、複数の帯域幅部分でサポートされる構成パラメータのセットが含まれる。つまり、各帯域幅部分は、複数の構成パラメータをサポートすることができ、パラメータ指示情報に関連付けられた構成パラメータは、複数の構成パラメータのうちの１つであり得る。したがって、予定帯域幅部分が決定された後、パラメータ指示情報に関連付けられた構成パラメータに従って、予定帯域幅部分の周波数ドメインの位置で、データを送信することができる。
【０１０５】
加えて、上記のパラメータ指示情報は、構成パラメータまたは構成パラメータを示すスクランブル・シーケンスであってもよい。したがって、パラメータ指示情報がスクランブル・シーケンスである場合、スクランブル・シーケンスとスクランブル・シーケンスに基づく構成パラメータとの間の予め格納された対応関係から、対応する構成パラメータを取得する必要があり、次いで、取得した構成パラメータに従って、予定帯域幅部分の周波数ドメインの位置でデータを送信することができる。
【０１０６】
スクランブル・シーケンスと構成パラメータとの間の対応関係は、システム信号送信、ＲＲＣでの信号送信、ＭＡＣでの信号送信、または物理層での信号送信によって、基地局から端末に送信され得ることに留意されたい。もちろん、これも予め定義することができ、本開示の実施形態に限定されない。
【０１０７】
本開示の実施形態では、複数のサービス・タイプの多重化を実現させるために、端末は、データ送信のための帯域幅部分を跨がるスケジューリングを柔軟にサポートする必要がある。実際の実施態様では、複数の帯域幅部分の中で、一部の帯域幅部分は制御情報を送信でき、他は制御情報を送信できないので、端末は、基地局によってターゲット帯域幅部分で送信されたスケジューリング信号を受信し、ここでスケジューリング信号は、周波数ドメインのリソース指示情報およびパラメータ指示情報を搬送し、そして端末は、周波数ドメインのリソース指示情報および予め格納された構成情報に基づいて、ターゲット帯域幅部分が予定帯域幅部分であるかどうかを判断する。ターゲット帯域幅部分が予定帯域幅部分ではない場合、端末は、周波数ドメインのリソース指示情報および構成情報に基づいて、複数の帯域幅部分から予定帯域幅部分を決定する必要があり、次いで、パラメータ指示情報に関連付けられた構成パラメータに基づいて、予定帯域幅部分を介してデータを送信する。したがって、他の帯域幅部分は、ターゲット帯域幅部分で送信されるスケジューリング信号によってスケジューリングされ、それによって帯域幅部分を跨がるスケジューリングが実現される。
【０１０８】
図３は、１つの例示的な実施形態に従って示す、データ送信デバイス３００の構成図である。図３に示すように、デバイス３００は以下を備える。
【０１０９】
基地局によってターゲット帯域幅部分で送信されたスケジューリング信号を受信するよう構成される第１の受信モジュール３０１であって、ここでスケジューリング信号は、周波数ドメインのリソース指示情報およびパラメータ指示情報を搬送し、ターゲット帯域幅部分は、複数の構成された帯域幅部分の中で、スケジューリング信号を送信できる帯域幅部分である、第１の受信モジュール３０１と、
周波数ドメインのリソース指示情報および予め格納された構成情報に基づいて、ターゲット帯域幅部分が予定帯域幅部分ではないと判断すると、周波数ドメインのリソース指示情報および構成情報に基づいて、複数の帯域幅部分から予定帯域幅部分を決定するよう構成される決定モジュール３０２と、
パラメータ指示情報に関連付けられた構成パラメータに従って、予定帯域幅部分を介してデータを送信するよう構成される送信モジュール３０３。
【０１１０】
任意選択で、パラメータ指示情報は、構成パラメータまたは構成パラメータを示すスクランブル・シーケンスである。
【０１１１】
任意選択で、図３Ｂに示すように、送信モジュール３０３は以下を備える。
【０１１２】
パラメータ指示情報がスクランブル・シーケンスである場合、スクランブル・シーケンスとスクランブル・シーケンスに基づく構成パラメータとの間の予め格納された対応関係から、対応する構成パラメータを取得するよう構成される取得サブモジュール３０３１と、
取得した構成パラメータに従って、予定帯域幅部分を介してデータを送信するよう構成される送信サブモジュール３０３２。
【０１１３】
任意選択で、周波数ドメインのリソース指示情報は、周波数ドメイン送信ユニットの指示情報を含み、周波数ドメイン送信ユニットは、１つまたは複数のＰＲＢを含む。
【０１１４】
任意選択で、スケジューリング信号はダウンリンク制御情報（ＤＣＩ）を使って送信される。ＤＣＩは、周波数ドメイン送信ユニットの指示情報を格納するための、第１の情報フィールドを含む。パラメータ指示情報が構成パラメータである場合、ＤＣＩは、構成パラメータを格納するための第２の情報フィールドをさらに含む。
【０１１５】
任意選択で、第２の情報フィールドは、ＤＣＩ内の第１のプリセット位置にあり、第２の情報フィールドは、第１のプリセット長を有する。
【０１１６】
任意選択で、スケジューリング信号はダウンリンク制御情報（ＤＣＩ）を使って送信される。ＤＣＩは、周波数ドメイン送信ユニットの指示情報を格納するための、第１の情報フィールドを含む。パラメータ指示情報が構成パラメータを示すスクランブル・シーケンスである場合、スクランブル・シーケンスは、ＤＣＩでスクランブルすることによって搬送される。
【０１１７】
任意選択で、周波数ドメインのリソース指示情報は、帯域幅番号指示情報をさらに含む。
【０１１８】
任意選択で、スケジューリング信号はダウンリンク制御情報（ＤＣＩ）を使って送信される。ＤＣＩは、周波数ドメイン送信ユニットの指示情報を格納するための第１の情報フィールド、および帯域幅番号指示情報を格納するための第３の情報フィールドを含む。パラメータ指示情報が構成パラメータである場合、ＤＣＩは、パラメータ指示情報を格納するための第２の情報フィールドをさらに含む。
【０１１９】
任意選択で、第２の情報フィールドは、ＤＣＩ内の第１のプリセット位置にあり、第３の情報フィールドは、ＤＣＩ内の第２のプリセット位置にある。第２の情報フィールドは、第１のプリセット長を有し、第３の情報フィールドは、第２のプリセット長を有する。
【０１２０】
任意選択で、スケジューリング信号はダウンリンク制御情報（ＤＣＩ）を使って送信される。ＤＣＩは、周波数ドメイン送信ユニットの指示情報を格納するための第１の情報フィールド、および帯域幅番号指示情報を格納するための第３の情報フィールドを含む。パラメータ指示情報が構成パラメータを示すスクランブル・シーケンスである場合、スクランブル・シーケンスは、ＤＣＩでスクランブルすることによって搬送される。
【０１２１】
任意選択で、デバイス３００は、さらに以下を備える。
【０１２２】
基地局によって送信された構成情報を受信および格納するよう構成される第２の受信モジュールであって、ここで構成情報は、複数の帯域幅部分の周波数ドメインの位置、サポートされる構成パラメータのセット、および含まれるＰＲＢの番号を含む、第２の受信モジュール。
【０１２３】
任意選択で、構成情報は、複数の帯域幅部分の帯域幅番号をさらに含む。
【０１２４】
任意選択で、デバイスは、さらに以下を備える。
【０１２５】
基地局によって送信されたトリガ信号を受信するよう構成される第３の受信モジュールであって、ここでトリガ信号は、帯域幅部分を跨がるスケジューリングがトリガされたことを示すよう構成される、第３の受信モジュール。
【０１２６】
本開示の実施形態では、複数のサービス・タイプの多重化を実現させるために、端末は、データ送信のための帯域幅部分を跨がるスケジューリングを柔軟にサポートする必要がある。実際の実施態様では、複数の帯域幅部分の中で、一部の帯域幅部分は制御情報を送信でき、他は制御情報を送信できないので、端末は、基地局によってターゲット帯域幅部分で送信されたスケジューリング信号を受信し、ここでスケジューリング信号は、周波数ドメインのリソース指示情報およびパラメータ指示情報を搬送し、そして端末は、周波数ドメインのリソース指示情報および予め格納された構成情報に基づいて、ターゲット帯域幅部分が予定帯域幅部分であるかどうかを判断する。ターゲット帯域幅部分が予定帯域幅部分ではない場合、端末は、周波数ドメインのリソース指示情報および構成情報に基づいて、複数の帯域幅部分から予定帯域幅部分を決定する必要があり、次いで、パラメータ指示情報に関連付けられた構成パラメータに基づいて、予定帯域幅部分を介してデータを送信する。したがって、他の帯域幅部分は、ターゲット帯域幅部分で送信されるスケジューリング信号によってスケジューリングされ、それによって帯域幅部分を跨がるスケジューリングが実現される。
【０１２７】
上記の実施形態のデバイスについて、各モジュールが動作を実行する特定のモードは、関連する方法の実施形態で詳細に説明してきており、ここでこれ以上詳細には説明しない。
【０１２８】
図４は、例示的な実施形態によるデバイス４００の構成図である。たとえば、デバイス４００は、携帯電話、コンピュータ、デジタル放送端末、メッセージング・デバイス、ゲーム機用コンソール、タブレット・デバイス、医用デバイス、フィットネス機器、個人向け携帯情報端末などであり得る。
【０１２９】
図４を参照すると、デバイス４００は、１つまたは複数の以下の部品を備え得る。処理部品４０２、メモリ４０４、電力部品４０６、マルチメディア部品４０８、音声部品４１０、入出力（Ｉ／Ｏ：ｉｎｐｕｔ／ｏｕｔｐｕｔ）インタフェース４１２、センサ部品４１４、および通信部品４１６。
【０１３０】
処理部品４０２は、典型的には、表示、電話通話、データ通信、カメラ動作、および記録動作に関連する動作など、デバイス４００の全体的な動作を制御する。処理部品４０２は、上述の方法におけるステップの全部または一部を遂行するための命令を実行する、１つまたは複数のプロセッサ４２０を備え得る。さらに、処理部品４０２は、処理部品４０２と他の部品との間で容易に相互作用する、１つまたは複数のモジュールを備え得る。たとえば、処理部品４０２は、マルチメディア部品４０８と処理部品４０２との間で容易に相互作用するマルチメディア・モジュールを備え得る。
【０１３１】
メモリ４０４は、デバイス４００の動作をサポートするために、様々な種類のデータを格納するよう構成される。かかるデータの例には、デバイス４００上で動作するあらゆる適用例または方法のための命令、連絡先データ、電話帳データ、メッセージ、写真、ビデオなどが含まれる。メモリ４０４は、静的ランダム・アクセス・メモリ（ＳＲＡＭ：ｓｔａｔｉｃ  ｒａｎｄｏｍ  ａｃｃｅｓｓ  ｍｅｍｏｒｙ）、電気的に消去可能でプログラム可能な読取専用メモリ（ＥＥＰＲＯＭ：ｅｌｅｃｔｒｉｃａｌｌｙ  ｅｒａｓａｂｌｅ  ｐｒｏｇｒａｍｍａｂｌｅ  ｒｅａｄ−ｏｎｌｙ  ｍｅｍｏｒｙ）、消去可能でプログラム可能な読取専用メモリ（ＥＰＲＯＭ：ｅｒａｓａｂｌｅ  ｐｒｏｇｒａｍｍａｂｌｅ  ｒｅａｄ−ｏｎｌｙ  ｍｅｍｏｒｙ）、プログラム可能な読取専用メモリ（ＰＲＯＭ：ｐｒｏｇｒａｍｍａｂｌｅ  ｒｅａｄ−ｏｎｌｙ  ｍｅｍｏｒｙ）、読取専用メモリ（ＲＯＭ：ｒｅａｄ−ｏｎｌｙ  ｍｅｍｏｒｙ）、磁気メモリ、フラッシュ・メモリ、磁気または光ディスクなど、任意の種類の揮発性または不揮発性のメモリデバイス、あるいはその組合せを使用して実現され得る。
【０１３２】
電力部品４０６は、デバイス４００の様々な部品に電力を供給する。電力部品４０６は、電力管理システム、１つまたは複数の電源、ならびにデバイス４００における電力の生成、管理、および分配に関連する他の任意の部品を備え得る。
【０１３３】
マルチメディア部品４０８は、デバイス４００とユーザとの間の出力インタフェースを提供する画面を備える。いくつかの実施形態では、画面は、液晶ディスプレイ（ＬＣＤ：ｌｉｑｕｉｄ  ｃｒｙｓｔａｌ  ｄｉｓｐｌａｙ）およびタッチ・パネル（ＴＰ：ｔｏｕｃｈ  ｐａｎｅｌ）を備え得る。画面がタッチ・パネルを備える場合、画面は、ユーザからの入力信号を受信するためのタッチ・スクリーンとして実現され得る。タッチ・パネルは、タッチ・パネル上でタッチ、スワイプ、およびジェスチャを検知する、１つまたは複数のタッチ・センサを備える。タッチ・センサは、タッチまたはスワイプ動作の範囲を検知するだけでなく、タッチまたはスワイプ動作に関する持続時間および圧力も検知することができる。いくつかの実施形態では、マルチメディア部品４０８は、前面カメラおよび／または背面カメラを備える。前面カメラおよび背面カメラは、デバイス４００が写真撮影モードまたはビデオ・モードなどの動作モードにある間に、外部マルチメディア・データを受信することができる。前面カメラおよび背面カメラはそれぞれ、固定光学レンズ・システムであってもよく、または焦点および光学ズーム機能を有していてもよい。
【０１３４】
音声部品４１０は、音声信号を出力および／または入力するよう構成される。たとえば、音声部品４１０は、デバイス４００が通話モード、録音モード、および音声認識モードなどの動作モードにあるとき、外部音声信号を受信するよう構成されるマイク（ＭＩＣ：ｍｉｃｒｏｐｈｏｎｅ）を備える。受信された音声信号は、メモリ４０４にさらに格納されてもよく、または通信部品４１６を介して送信されてもよい。いくつかの実施形態では、音声部品４１０は、音声信号を出力するためのスピーカをさらに備える。
【０１３５】
Ｉ／Ｏインタフェース４１２は、処理部品４０２と、キーボード、クリック・ホイール、ボタンなどの周辺インタフェース・モジュールとの間のインタフェースを提供する。ボタンには、ホームボタン、音量ボタン、開始ボタン、およびロックボタンが含まれ得るが、これらに限定されるものではない。
【０１３６】
センサ部品４１４は、デバイス４００の様々な態様の状態評価を可能にする１つまたは複数のセンサを備える。たとえば、センサ部品４１４は、デバイス４００のオン／オフ状態、たとえばデバイス４００の表示デバイスおよびミニ・キーボードなどの部品の相対的な位置を検出することができる。またセンサ部品４１４は、デバイス４００またはデバイス４００の部品の位置の変化、ユーザのデバイス４００との接触の有無、デバイス４００の向きまたは加速／減速、およびデバイス４００の温度変化も検出することができる。センサ部品４１４は、どんな物理的接触もなしに、近くの物体の存在を検出するよう構成される近接センサを備え得る。センサ部品４１４は、撮像用途に使用されるＣＭＯＳまたはＣＣＤ画像センサなどの光センサも備え得る。いくつかの実施形態では、センサ部品４１４は、加速度計センサ、ジャイロスコープ・センサ、磁気センサ、圧力センサ、または温度センサも備え得る。
【０１３７】
通信部品４１６は、デバイス４００と他のデバイスとの間で、容易に有線または無線で通信するよう構成される。デバイス４００は、Ｗｉ−Ｆｉ、２Ｇもしくは３Ｇ、またはその組合せなどの通信規格に基づいて、無線ネットワークにアクセスすることができる。例示的な実施形態では、通信部品４１６は、放送チャネルを通じて、外部放送管理システムから放送信号または放送関連情報を受信する。例示的な実施形態では、通信部品４１６は、容易に短距離通信を行うために、近距離通信（ＮＦＣ：ｎｅａｒ  ｆｉｅｌｄ  ｃｏｍｍｕｎｉｃａｔｉｏｎ）モジュールをさらに備える。
【０１３８】
例示的な実施形態では、デバイス４００は、上記の方法を実行するための、１つまたは複数の特定用途向け集積回路（ＡＳＩＣ：ａｐｐｌｉｃａｔｉｏｎ  ｓｐｅｃｉｆｉｃ  ｉｎｔｅｇｒａｔｅｄ  ｃｉｒｃｕｉｔ）、デジタル信号プロセッサ（ＤＳＰ：ｄｉｇｉｔａｌ  ｓｉｇｎａｌ  ｐｒｏｃｅｓｓｏｒ）、デジタル信号処理デバイス（ＤＳＰＤ：ｄｉｇｉｔａｌ  ｓｉｇｎａｌ  ｐｒｏｃｅｓｓｉｎｇ  ｄｅｖｉｃｅ）、プログラム可能な論理デバイス（ＰＬＤ：ｐｒｏｇｒａｍｍａｂｌｅ  ｌｏｇｉｃ  ｄｅｖｉｃｅ）、現場でプログラム可能なゲートアレイ（ＦＰＧＡ：ｆｉｅｌｄ  ｐｒｏｇｒａｍｍａｂｌｅ  ｇａｔｅ  ａｒｒａｙ）、コントローラ、マイクロコントローラ、マイクロプロセッサ、または他の電子部品で実現され得る。
【０１３９】
例示的な実施形態では、上述の方法を実行するための、デバイス４００のプロセッサ４２０によって実行可能な命令を有するメモリ４０４などの、命令を有する非一時的コンピュータ可読記憶媒体も提供する。非一時的コンピュータ可読記憶媒体は、たとえば、ＲＯＭ、ＲＡＭ、ＣＤ−ＲＯＭ、磁気テープ、フロッピ・ディスク、光学データ記憶デバイスなどであってもよい。
【０１４０】
非一時的コンピュータ可読記憶媒体内の命令が、携帯端末のプロセッサで実行されると、携帯端末は、図１Ｂおよび図２Ａに示す実施形態で提供する方法を実行することができる。
【０１４１】
本開示の他の実施形態は、本明細書の考察および本開示の実践から、当業者には明らかであろう。本出願は、本開示の一般的な原理に従い、本明細書に開示されていない一般的な知識または一般的に使用される技術的手段を含む、本開示のどんな変形形態、使用法、または適合形態も包含することを意図している。本明細書および実施形態は、例示としてのみ考慮されるべきであり、本開示の真の範囲および精神は、添付の請求の範囲によって示す。
【０１４２】
本開示は、上記で説明し、添付の図面に示してきた正確な構造に限定されるものではなく、その範囲から逸脱することなく、様々な修正および変更を行うことができることが理解されよう。本開示の範囲は、添付の請求の範囲でしか制限されないことを意図している。
【手続補正２】
【補正対象書類名】特許請求の範囲
【補正対象項目名】全文
【補正方法】変更
【補正の内容】
【特許請求の範囲】
【請求項１】
基地局によってターゲット帯域幅部分で送信されたスケジューリング信号を受信するステップであって、該スケジューリング信号は、周波数ドメインのリソース指示情報およびパラメータ指示情報を搬送し、該ターゲット帯域幅部分は、複数の構成された帯域幅部分の中で、該スケジューリング信号を送信できる帯域幅部分である、ステップと、
該周波数ドメインのリソース指示情報および予め格納された構成情報に基づいて、該ターゲット帯域幅部分が予定帯域幅部分ではないと判断すると、該周波数ドメインのリソース指示情報および該構成情報に基づいて、該複数の帯域幅部分から該予定帯域幅部分を決定するステップと、
該パラメータ指示情報に関連付けられた構成パラメータに従って、該予定帯域幅部分を介してデータを送信するステップと
を含む、データ送信方法。
【請求項２】
前記パラメータ指示情報は、前記構成パラメータまたは前記構成パラメータを示すスクランブル・シーケンスである、請求項１記載の方法。
【請求項３】
前記パラメータ指示情報に関連付けられた構成パラメータに従って、前記予定帯域幅部分を介してデータを送信する前記ステップは、
前記パラメータ指示情報が前記スクランブル・シーケンスであり、スクランブル・シーケンスと該スクランブル・シーケンスに基づく構成パラメータとの間の予め格納された対応関係から、対応する構成パラメータを取得するステップと、
該取得した構成パラメータに従って、前記予定帯域幅部分を介してデータを送信するステップと
を含む、請求項２記載の方法。
【請求項４】
前記周波数ドメインのリソース指示情報は、周波数ドメイン送信ユニットの指示情報を含み、該周波数ドメイン送信ユニットは、１つまたは複数の物理リソース・ブロック（ＰＲＢ）を含む、請求項１から３のいずれか一項記載の方法。
【請求項５】
前記スケジューリング信号は、ダウンリンク制御情報（ＤＣＩ）を使って送信され、該ＤＣＩは、前記周波数ドメイン送信ユニットの前記指示情報を格納するための第１の情報フィールドを含み、前記パラメータ指示情報が構成パラメータであり、該ＤＣＩは、該構成パラメータを格納するための第２の情報フィールドをさらに含む、請求項４記載の方法。
【請求項６】
前記第２の情報フィールドは、前記ＤＣＩ内の第１のプリセット位置にあり、前記第２の情報フィールドは、第１のプリセット長を有する、請求項５記載の方法。
【請求項７】
前記スケジューリング信号は、ダウンリンク制御情報（ＤＣＩ）を使って送信され、該ＤＣＩは、前記周波数ドメイン送信ユニットの前記指示情報を格納するための第１の情報フィールドを含み、前記パラメータ指示情報が前記構成パラメータを示す前記スクランブル・シーケンスであり、該スクランブル・シーケンスはスクランブルすることによって該ＤＣＩで搬送される、請求項４記載の方法。
【請求項８】
前記周波数ドメインのリソース指示情報は、帯域幅番号指示情報をさらに含む、請求項４記載の方法。
【請求項９】
前記スケジューリング信号は、ダウンリンク制御情報（ＤＣＩ）を使って送信され、該ＤＣＩは、前記周波数ドメイン送信ユニットの前記指示情報を格納するための第１の情報フィールドと、前記帯域幅番号指示情報を格納するための第３の情報フィールドとを含み、前記パラメータ指示情報が前記構成パラメータである場合、該ＤＣＩは、前記パラメータ指示情報を格納するための第２の情報フィールドをさらに含む、請求項８記載の方法。
【請求項１０】
前記第２の情報フィールドは前記ＤＣＩ内の第１のプリセット位置にあり、前記第３の情報フィールドは前記ＤＣＩ内の第２のプリセット位置にあり、前記第２の情報フィールドは第１のプリセット長を有し、前記第３の情報フィールドは第２のプリセット長を有する、請求項９記載の方法。
【請求項１１】
前記スケジューリング信号は、ダウンリンク制御情報（ＤＣＩ）を使って送信され、該ＤＣＩは、前記周波数ドメイン送信ユニットの前記指示情報を格納するための第１の情報フィールド、および前記帯域幅番号指示情報を格納するための第３の情報フィールドを含み、
前記パラメータ指示情報が前記構成パラメータを示す前記スクランブル・シーケンスであり、かつ、該スクランブル・シーケンスはスクランブルすることによって該ＤＣＩで搬送される、請求項８記載の方法。
【請求項１２】
基地局によって送信されたスケジューリング信号を受信する前記ステップの前に、
該基地局によって送信された前記構成情報を受信および格納するステップであって、前記構成情報は、前記複数の帯域幅部分の周波数ドメインの位置、サポートされる構成パラメータのセット、および含まれるＰＲＢの番号を含む、ステップ
をさらに含む、請求項１記載の方法。
【請求項１３】
前記構成情報は、前記複数の帯域幅部分の帯域幅番号をさらに含む、請求項１２に記載の方法。
【請求項１４】
基地局によって送信されたスケジューリング信号を受信する前記ステップの前に、
該基地局によって送信されたトリガ信号を受信するステップであって、該トリガ信号は、帯域幅部分を跨がるスケジューリングがトリガされたことを示すよう構成される、ステップ
をさらに含む、請求項１記載の方法。
【請求項１５】
基地局によってターゲット帯域幅部分で送信されたスケジューリング信号を受信するよう構成される第１の受信モジュールであって、該スケジューリング信号は、周波数ドメインのリソース指示情報およびパラメータ指示情報を搬送し、該ターゲット帯域幅部分は、複数の構成された帯域幅部分の中で、該スケジューリング信号を送信できる帯域幅部分である、第１の受信モジュールと、
該周波数ドメインのリソース指示情報および予め格納された構成情報に基づいて、該ターゲット帯域幅部分が予定帯域幅部分ではないと判断すると、該周波数ドメインのリソース指示情報および該構成情報に基づいて、該複数の帯域幅部分から該予定帯域幅部分を決定するよう構成される決定モジュールと、
該パラメータ指示情報に関連付けられた構成パラメータに従って、該予定帯域幅部分を介してデータを送信するよう構成される送信モジュールと
を備える、データ送信デバイス。
【国際調査報告】
2020529174.tif 000010
2020529174.tif 000011
2020529174.tif 000012
2020529174.tif 000013